(57)【要約】【課題】画像情報の印刷要求毎に、暗号化アルゴリズムを瞬時に変更しながら短時間に暗号化された画像データを生成して、解読が困難な画像データを出力先の画像処理装置に転送することである。【解決手段】ホストコンピュータ４０１から出力される所定の言語で記述された画像情報を処理する画像入出力システム１００とネットワーク４００を介して通信可能な画像処理装置５００等において、画像情報の印刷要求毎に、他の画像処理装置からネットワーク４００を介して取得する異なる暗号化方式選択情報に基づいて、ＣＰＵ５０４が画像情報を暗号化するための回路情報を複数記憶するＲＯＭ５０３からいずれかの回路情報を選択し、該選択される回路情報に基づいて決定される暗号化アルゴリズムで復号化処理部５０２が画像情報を暗号化処理し、該暗号化された画像データをネットワーク４００を介して画像入出力システム１００に転送する構成を特徴とする。【選択図】図９
2006086594.tif 000002
【特許請求の範囲】
【請求項１】
ホストコンピュータから出力される所定の言語で記述された画像情報を処理する他の画像処理装置とネットワークを介して通信可能な画像処理装置であって、
前記画像情報を暗号化するための回路情報を複数記憶する記憶手段と、
前記画像情報の印刷要求毎に、前記他の画像処理装置から前記ネットワークを介して取得する異なる暗号化方式選択情報に基づいて、前記記憶手段からいずれかの回路情報を選択する選択手段と、
前記選択手段により選択される回路情報に基づいて決定される暗号化アルゴリズムで前記画像情報を暗号化処理する暗号化処理手段と、
前記暗号化処理手段により暗号化された画像データを前記ネットワークを介して前記他の画像処理装置に転送する転送手段と、
を有することを特徴とする画像処理装置。
【請求項２】
前記暗号化処理手段は、前記選択手段により選択される回路情報に基づいて決定される暗号化アルゴリズムで前記画像情報を暗号化処理するデバイスで構成することを特徴とする請求項１記載の画像処理装置。
【請求項３】
ホストコンピュータから出力される所定の言語で記述された画像情報を処理する他の画像処理装置とネットワークを介して通信可能な画像処理装置であって、
前記他の画像処理装置から暗号化されて転送される画像データを復号化するための回路情報を複数記憶する記憶手段と、
前記画像情報の印刷要求毎に、異なる暗号化方式選択情報と復号化方式選択情報とを生成する選択情報生成手段と、
前記画像情報の印刷要求毎に、前記選択情報生成手段により生成される前記異なる暗号化方式選択情報を前記ネットワークを介して前記他の画像処理装置に転送する転送手段と、
前記画像情報の印刷要求毎に、前記選択情報生成手段により生成される異なる復号化方式選択情報に基づいて、前記記憶手段からいずれかの回路情報を選択する選択手段と、
前記選択手段により選択される回路情報に基づいて決定される復号化アルゴリズムで前記画像情報を復号化処理する復号化処理手段と、
前記復号化処理手段により復号化される画像データを翻訳してラスタ画像データに変換する画像翻訳手段と、
前記画像翻訳手段により翻訳される前記ラスタ画像データを印刷処理する印刷手段と、
を有することを特徴とする画像処理装置。
【請求項４】
前記復号化処理手段は、前記選択手段により選択される回路情報に基づいて決定される復号化アルゴリズムで前記画像情報を復号化処理するデバイスで構成することを特徴とする請求項３記載の画像処理装置。
【請求項５】
他の画像処理装置より暗号化されている画像データをネットワークを介して取得してホストコンピュータに転送可能な画像処理装置であって、
前記画像データを復号化するための回路情報を複数記憶する記憶手段と、
前記画像データの取得要求毎に、前記他の画像処理装置から前記ネットワークを介して取得する異なる復号化方式選択鍵情報に基づいて、前記記憶手段からいずれかの回路情報を選択する選択手段と、
前記選択手段により選択される回路情報に基づいて決定される復号化アルゴリズムで前記画像情報を復号化処理する復号化処理手段と、
前記復号化処理手段により復号化された画像データを前記ホストコンピュータに送信する送信手段と、
を有することを特徴とする画像処理装置。
【請求項６】
前記復号化処理手段は、前記選択手段により選択される回路情報に基づいて決定される復号化アルゴリズムで前記画像情報を復号化処理するデバイスで構成することを特徴とする請求項５記載の画像処理装置。
【請求項７】
原稿画像を読み取る読み取り手段を備え、読み取られる画像データを他の画像処理装置にネットワークを介して送信可能な画像処理装置であって、
前記他の画像処理装置に送信すべき画像データを暗号化するための回路情報を複数記憶する記憶手段と、
前記画像データの送信要求毎に、異なる暗号化方式選択情報と復号化方式選択情報とを生成する選択情報生成手段と、
前記画像データの送信要求毎に、前記鍵生成手段により生成される前記異なる復号化方式選択情報を前記ネットワークを介して前記他の画像処理装置に転送する転送手段と、
前記画像データの送信要求毎に、前記選択情報生成手段により生成される異なる暗号化方式選択情報に基づいて、前記記憶手段からいずれかの回路情報を選択する選択手段と、
前記選択手段により選択される回路情報に基づいて決定される暗号化アルゴリズムで前記画像情報を暗号化処理して送信すべき画像データを生成する暗号化処理手段と、
前記暗号化処理手段により生成される暗号化される画像データを前記他の画像処理装置に送信する送信手段と、
を有することを特徴とする画像処理装置。
【請求項８】
前記暗号化処理手段は、前記選択手段により選択される回路情報に基づいて決定される暗号化アルゴリズムで前記画像情報を暗号化処理するデバイスで構成することを特徴とする請求項７記載の画像処理装置。
【請求項９】
ホストコンピュータから出力される所定の言語で記述された画像情報を処理する他の画像処理装置とネットワークを介して通信可能な画像処理装置における画像処理方法であって、
前記画像情報の印刷要求毎に、前記他の画像処理装置から前記ネットワークを介して取得する異なる暗号化方式選択情報に基づいて、前記画像情報を暗号化するための回路情報を複数記憶する記憶手段からいずれかの回路情報を選択する選択ステップと、
前記選択ステップにより選択される回路情報に基づいて決定される暗号化アルゴリズムで前記画像情報を暗号化処理する暗号化処理ステップと、
前記暗号化処理ステップにより暗号化された画像データを前記ネットワークを介して前記他の画像処理装置に転送する転送ステップと、
を有することを特徴とする画像処理方法。
【請求項１０】
前記暗号化処理ステップは、前記選択ステップにより選択される回路情報に基づいて決定される暗号化アルゴリズムで前記画像情報を暗号化処理するデバイスで構成することを特徴とする請求項９記載の画像処理方法。
【請求項１１】
ホストコンピュータから出力される所定の言語で記述された画像情報を処理する他の画像処理装置とネットワークを介して通信可能な画像処理装置における画像処理方法であって、
前記他の画像処理装置から暗号化されて転送される画像データを復号化するための回路情報を複数記憶する記憶手段と、
前記画像情報の印刷要求毎に、異なる暗号化方式選択情報と復号化方式選択情報とを生成する選択情報生成ステップと、
前記画像情報の印刷要求毎に、前記選択情報生成ステップにより生成される前記異なる暗号化方式選択情報を前記ネットワークを介して前記他の画像処理装置に転送する転送ステップと、
前記画像情報の印刷要求毎に、前記選択情報生成ステップにより生成される異なる復号化方式選択情報に基づいて、前記他の画像処理装置から暗号化されて転送される画像データを復号化するための回路情報を複数記憶する記憶手段からいずれかの回路情報を選択する選択ステップと、
前記選択ステップにより選択される回路情報に基づいて決定される復号化アルゴリズムで前記画像情報を復号化処理する復号化処理ステップと、
前記復号化処理ステップにより復号化される画像データを翻訳してラスタ画像データに変換する画像翻訳ステップと、
前記画像翻訳ステップにより翻訳される前記ラスタ画像データを印刷処理する印刷ステップと、
を有することを特徴とする画像処理方法。
【請求項１２】
前記復号化処理ステップは、前記選択ステップにより選択される回路情報に基づいて決定される復号化アルゴリズムで前記画像情報を復号化処理するデバイスで構成することを特徴とする請求項１１記載の画像処理方法。
【請求項１３】
他の画像処理装置より暗号化されている画像データをネットワークを介して取得してホストコンピュータに転送可能な画像処理装置における画像処理方法であって、
前記画像データの取得要求毎に、前記他の画像処理装置から前記ネットワークを介して取得する異なる復号化方式選択情報に基づいて、前記画像データを復号化するための回路情報を複数記憶する記憶手段からいずれかの回路情報を選択する選択ステップと、
前記選択ステップにより選択される回路情報に基づいて決定される復号化アルゴリズムで前記画像情報を復号化処理する復号化処理ステップと、
前記復号化処理ステップにより復号化された画像データを前記ホストコンピュータに送信する送信ステップと、
を有することを特徴とする画像処理方法。
【請求項１４】
前記復号化処理ステップは、前記選択ステップにより選択される回路情報に基づいて決定される復号化アルゴリズムで前記画像情報を復号化処理するデバイスで構成することを特徴とする請求項１３記載の画像処理方法。
【請求項１５】
原稿画像を読み取る読み取り手段を備え、読み取られる画像データを他の画像処理装置にネットワークを介して送信可能な画像処理装置における画像処理方法であって、
前記画像データの送信要求毎に、異なる暗号化方式選択情報と復号化方式選択情報とを生成する選択情報生成ステップと、
前記画像データの送信要求毎に、前記選択情報生成ステップにより生成される前記異なる復号化方式選択情報を前記ネットワークを介して前記他の画像処理装置に転送する転送ステップと、
前記画像データの送信要求毎に、前記選択情報生成ステップにより生成される異なる暗号化方式選択情報に基づいて、前記他の画像処理装置に送信すべき画像データを暗号化するための回路情報を複数記憶する記憶手段からいずれかの回路情報を選択する選択ステップと、
前記選択ステップにより選択される回路情報に基づいて決定される暗号化アルゴリズムで前記画像情報を暗号化処理して送信すべき画像データを生成する暗号化処理ステップと、
前記暗号化処理ステップにより生成される暗号化される画像データを前記他の画像処理装置に送信する送信ステップと、
を有することを特徴とする画像処理方法。
【請求項１６】
前記暗号化処理ステップは、前記選択ステップにより選択される回路情報に基づいて決定される暗号化アルゴリズムで前記画像情報を暗号化処理するデバイスで構成することを特徴とする請求項１５記載の画像処理方法。
【請求項１７】
請求項９〜１６のいずれかに記載の画像処理方法を実行させるためのプログラムを格納したことを特徴とするコンピュータが読み取り可能な記憶媒体。
【請求項１８】
請求項９〜１６のいずれかに記載の画像処理方法を実行させることを特徴とするプログラム。
【発明の詳細な説明】
【技術分野】
【０００１】
本発明は、所定の画像情報をネットワークを介して他の画像処理装置との間で通信可能な画像処理装置および画像処理方法およびコンピュータが読み取り可能なプログラムを格納した記憶媒体およびプログラムに関するものである。
【背景技術】
【０００２】
従来、この種のシステムにおいて、ホストコンピュータ等からページ記述言語等により記述された画像情報を処理する画像処理装置より、ネットワークを介して接続される画像形成装置へ画像情報を送信する際には、ネットワーク上の信号を監視することによりプリントデータが盗まれ、中身を見られる可能性があるため、送信する画像情報をある決まった法則でビット配列等を変換し暗号化を行ってから送信することで、プリントデータを盗まれても中身が分からないようにすることでセキュリティの向上を図ってきた。（例えば特許文献１）
【特許文献１】特開平９−１３４２６４号公報
【発明の開示】
【発明が解決しようとする課題】
【０００３】
しかしながら、こうした暗号化の技術により守られてきたセキュリティも、盗視者の暗号を解読する技術が向上し、簡易な暗号化で用いられる、例えばＬＵＴ等を使用してｂｉｔ配列を変換するような程度の暗号化方式では簡単に暗号を解読され、配列変換されていない元の画像を推測することができる。
【０００４】
こうした盗視者から暗号を解読されないようにする為には、ＬＵＴでは実現不可能なより複雑な暗号化アルゴリズムが必要となってくる。
【０００５】
こうした複雑な暗号化アルゴリズムによる計算はより高度なセキュリティを確保する為には膨大な計算量が必要であり、ソフトウエアで計算するには時間が非常にかかる。
【０００６】
また、複雑な暗号化アルゴリズムであっても、毎回同じアルゴリズムを使用していれば、いずれ解読される危険が高まるため、画像を送信する毎にアルゴリズムを変更することが望まれる。
【０００７】
本発明は、上記の課題を解決するためになされたもので、本発明の第１の目的は、ホストコンピュータから出力される所定の言語で記述された画像情報を処理する他の画像処理装置とネットワークを介して通信可能な画像処理装置において、前記画像情報の印刷要求毎に、前記他の画像処理装置から前記ネットワークを介して取得する異なる暗号化方式選択情報情報に基づいて、画像情報を暗号化するための回路情報を複数記憶する記憶手段からいずれかの回路情報を選択し、該選択される回路情報に基づいて決定される暗号化アルゴリズムで画像情報を暗号化処理し、該暗号化された画像データを前記ネットワークを介して前記他の画像処理装置に転送することにより、画像情報の印刷要求毎に、暗号化アルゴリズムを瞬時に変更しながら短時間に暗号化された画像データを生成でき、盗視者が画像データを取得できても、暗号化アルゴリズムがその都度変更されているので、解読が困難な画像データを出力先の画像処理装置に転送できるセキュリティ面に優れた画像データ転送処理システムを自在に構築できる画像処理装置および画像処理方法およびコンピュータが読み取り可能なプログラムを格納した記憶媒体およびプログラムを提供することである。
【０００８】
第２の目的は、ホストコンピュータから出力される所定の言語で記述された画像情報を処理する他の画像処理装置とネットワークを介して通信可能な画像処理装置において、前記画像情報の印刷要求毎に、生成される前記異なる暗号化方式選択情報を前記ネットワークを介して前記他の画像処理装置に転送するとともに、前記画像情報の印刷要求毎に、生成される異なる復号化方式選択情報に基づいて、前記他の画像処理装置から暗号化されて転送される画像データを復号化するための回路情報を複数記憶する記憶手段からいずれかの回路情報を選択し、該選択される回路情報に基づいて決定される復号化アルゴリズムで前記画像情報を復号化処理し、該復号化される画像データを翻訳してラスタ画像データに変換した後、ラスタ画像データを印刷処理することにより、画像情報の印刷要求毎に、復号化アルゴリズムを瞬時に変更しながら短時間に復号化された画像データを生成でき、盗視者が画像データを取得できても、復号化アルゴリズムがその都度変更されているので、解読が困難な画像データを出力先の画像処理装置に転送できるセキュリティ面に優れた画像データ転送処理システムを自在に構築できる画像処理装置および画像処理方法およびコンピュータが読み取り可能なプログラムを格納した記憶媒体およびプログラムを提供することである。
【０００９】
第３の目的は、他の画像処理装置より暗号化されている画像データをネットワークを介して取得してホストコンピュータに転送可能な画像処理装置において、前記画像データの取得要求毎に、前記他の画像処理装置から前記ネットワークを介して取得する異なる復号化方式選択情報に基づいて、画像データを復号化するための回路情報を複数記憶する記憶手段からいずれかの回路情報を選択し、該選択される回路情報に基づいて決定される復号化アルゴリズムで前記画像情報を復号化処理し、該復号化された画像データを前記ホストコンピュータに送信することにより、他の画像処理装置により読み取られた後、暗号化されている画像データを取得して復号化する場合に、その取得毎に、他の画像処理装置から暗号化されている画像データを復号化するための復号化がその都度変更されているので、解読が困難な画像データを出力先の画像処理装置に転送できるセキュリティ面に優れた画像データ転送処理システムを自在に構築できる画像処理装置および画像処理方法およびコンピュータが読み取り可能なプログラムを格納した記憶媒体およびプログラムを提供することである。
【００１０】
第４の目的は、原稿画像を読み取る読み取り手段を備え、読み取られる画像データを他の画像処理装置にネットワークを介して送信可能な画像処理装置において、画像データの送信要求毎に、生成される異なる復号化方式選択情報を前記ネットワークを介して前記他の画像処理装置に転送するとともに、画像データの送信要求毎に、生成される異なる暗号化方式選択情報に基づいて、他の画像処理装置に送信すべき画像データを暗号化するための回路情報を複数記憶する記憶手段からいずれかの回路情報を選択し、該選択される回路情報に基づいて決定される暗号化アルゴリズムで前記画像情報を暗号化処理して送信すべき画像データを生成して、該生成される暗号化される画像データを前記他の画像処理装置に送信することにより、他の画像処理装置により読み取られた後、その画像データの送信要求毎に、読み取られる画像データを暗号化するための暗号化がその都度変更されているので、解読が困難な画像データを出力先の画像処理装置に転送できるセキュリティ面に優れた画像データ転送処理システムを自在に構築できる画像処理装置および画像処理方法およびコンピュータが読み取り可能なプログラムを格納した記憶媒体およびプログラムを提供することである。
【課題を解決するための手段】
【００１１】
上記目的を達成する本発明の画像処理装置は以下に示す構成を備える。
【００１２】
ホストコンピュータから出力される所定の言語で記述された画像情報を処理する他の画像処理装置とネットワークを介して通信可能な画像処理装置であって、前記画像情報を暗号化するための回路情報を複数記憶する記憶手段と、前記画像情報の印刷要求毎に、前記他の画像処理装置から前記ネットワークを介して取得する異なる暗号化方式選択情報に基づいて、前記記憶手段からいずれかの回路情報を選択する選択手段と、前記選択手段により選択される回路情報に基づいて決定される暗号化アルゴリズムで前記画像情報を暗号化処理する暗号化処理手段と、前記暗号化処理手段により暗号化された画像データを前記ネットワークを介して前記他の画像処理装置に転送する転送手段とを有することを特徴とする。
【００１３】
上記目的を達成する本発明の画像処理装置は以下に示す構成を備える。
【００１４】
ホストコンピュータから出力される所定の言語で記述された画像情報を処理する他の画像処理装置とネットワークを介して通信可能な画像処理装置であって、前記他の画像処理装置から暗号化されて転送される画像データを復号化するための回路情報を複数記憶する記憶手段と、前記画像情報の印刷要求毎に、異なる暗号化方式選択情報と復号化方式選択情報とを生成する選択情報生成手段と、前記画像情報の印刷要求毎に、前記選択情報生成手段により生成される前記異なる暗号化方式選択情報を前記ネットワークを介して前記他の画像処理装置に転送する転送手段と、前記画像情報の印刷要求毎に、前記選択情報生成手段により生成される異なる復号化方式選択情報に基づいて、前記記憶手段からいずれかの回路情報を選択する選択手段と、前記選択手段により選択される回路情報に基づいて決定される復号化アルゴリズムで前記画像情報を復号化処理する復号化処理手段と、前記復号化処理手段により復号化される画像データを翻訳してラスタ画像データに変換する画像翻訳手段と、前記画像翻訳手段により翻訳される前記ラスタ画像データを印刷処理する印刷手段とを有することを特徴とする。
【００１５】
上記目的を達成する本発明の画像処理装置は以下に示す構成を備える。
【００１６】
他の画像処理装置より暗号化されている画像データをネットワークを介して取得してホストコンピュータに転送可能な画像処理装置であって、前記画像データを復号化するための回路情報を複数記憶する記憶手段と、前記画像データの取得要求毎に、前記他の画像処理装置から前記ネットワークを介して取得する異なる復号化方式選択鍵情報に基づいて、前記記憶手段からいずれかの回路情報を選択する選択手段と、前記選択手段により選択される回路情報に基づいて決定される復号化アルゴリズムで前記画像情報を復号化処理する復号化処理手段と、前記復号化処理手段により復号化された画像データを前記ホストコンピュータに送信する送信手段とを有することを特徴とする。
【００１７】
上記目的を達成する本発明の画像処理装置は以下に示す構成を備える。
【００１８】
原稿画像を読み取る読み取り手段を備え、読み取られる画像データを他の画像処理装置にネットワークを介して送信可能な画像処理装置であって、前記他の画像処理装置に送信すべき画像データを暗号化するための回路情報を複数記憶する記憶手段と、前記画像データの送信要求毎に、異なる暗号化鍵と復号化鍵とを生成する鍵生成手段と、前記画像データの送信要求毎に、前記鍵生成手段により生成される前記異なる復号化鍵を前記ネットワークを介して前記他の画像処理装置に転送する転送手段と、前記画像データの送信要求毎に、前記鍵生成手段により生成される異なる暗号化鍵情報に基づいて、前記記憶手段からいずれかの回路情報を選択する選択手段と、前記選択手段により選択される回路情報に基づいて決定される暗号化アルゴリズムで前記画像情報を暗号化処理して送信すべき画像データを生成する暗号化処理手段と、前記暗号化処理手段により生成される暗号化される画像データを前記他の画像処理装置に送信する送信手段とを有することを特徴とする。
【００１９】
上記目的を達成する本発明の画像処理方法は以下に示す構成を備える。
【００２０】
ホストコンピュータから出力される所定の言語で記述された画像情報を処理する他の画像処理装置とネットワークを介して通信可能な画像処理装置における画像処理方法であって、前記画像情報の印刷要求毎に、前記他の画像処理装置から前記ネットワークを介して取得する異なる暗号化方式選択情報に基づいて、前記画像情報を暗号化するための回路情報を複数記憶する記憶手段からいずれかの回路情報を選択する選択ステップと、前記選択ステップにより選択される回路情報に基づいて決定される暗号化アルゴリズムで前記画像情報を暗号化処理する暗号化処理ステップと、前記暗号化処理ステップにより暗号化された画像データを前記ネットワークを介して前記他の画像処理装置に転送する転送ステップとを有することを特徴とする。
【００２１】
上記目的を達成する本発明の画像処理方法は以下に示す構成を備える。
【００２２】
ホストコンピュータから出力される所定の言語で記述された画像情報を処理する他の画像処理装置とネットワークを介して通信可能な画像処理装置における画像処理方法であって、前記他の画像処理装置から暗号化されて転送される画像データを復号化するための回路情報を複数記憶する記憶手段と、前記画像情報の印刷要求毎に、異なる暗号化方式選択情報と復号化方式選択情報とを生成する選択情報生成ステップと、前記画像情報の印刷要求毎に、前記選択情報生成ステップにより生成される前記異なる暗号化方式選択情報を前記ネットワークを介して前記他の画像処理装置に転送する転送ステップと、前記画像情報の印刷要求毎に、前記選択情報生成ステップにより生成される異なる復号化方式選択情報に基づいて、前記他の画像処理装置から暗号化されて転送される画像データを復号化するための回路情報を複数記憶する記憶手段からいずれかの回路情報を選択する選択ステップと、前記選択ステップにより選択される回路情報に基づいて決定される復号化アルゴリズムで前記画像情報を復号化処理する復号化処理ステップと、前記復号化処理ステップにより復号化される画像データを翻訳してラスタ画像データに変換する画像翻訳ステップと、前記画像翻訳ステップにより翻訳される前記ラスタ画像データを印刷処理する印刷ステップとを有することを特徴とする。
【００２３】
上記目的を達成する本発明の画像処理方法は以下に示す構成を備える。
【００２４】
他の画像処理装置より暗号化されている画像データをネットワークを介して取得してホストコンピュータに転送可能な画像処理装置における画像処理方法であって、前記画像データの取得要求毎に、前記他の画像処理装置から前記ネットワークを介して取得する異なる復号化方式選択情報に基づいて、前記画像データを復号化するための回路情報を複数記憶する記憶手段からいずれかの回路情報を選択する選択ステップと、前記選択ステップにより選択される回路情報に基づいて決定される復号化アルゴリズムで前記画像情報を復号化処理する復号化処理ステップと、前記復号化処理ステップにより復号化された画像データを前記ホストコンピュータに送信する送信ステップとを有することを特徴とする。
【００２５】
上記目的を達成する本発明の画像処理方法は以下に示す構成を備える。
【００２６】
原稿画像を読み取る読み取り手段を備え、読み取られる画像データを他の画像処理装置にネットワークを介して送信可能な画像処理装置における画像処理方法であって、前記画像データの送信要求毎に、異なる暗号化方式選択情報と復号化方式選択情報とを生成する選択情報生成ステップと、前記画像データの送信要求毎に、前記選択情報生成ステップにより生成される前記異なる復号化方式選択情報を前記ネットワークを介して前記他の画像処理装置に転送する転送ステップと、前記画像データの送信要求毎に、前記選択情報生成ステップにより生成される異なる暗号化方式選択情報に基づいて、前記他の画像処理装置に送信すべき画像データを暗号化するための回路情報を複数記憶する記憶手段からいずれかの回路情報を選択する選択ステップと、前記選択ステップにより選択される回路情報に基づいて決定される暗号化アルゴリズムで前記画像情報を暗号化処理して送信すべき画像データを生成する暗号化処理ステップと、前記暗号化処理ステップにより生成される暗号化される画像データを前記他の画像処理装置に送信する送信ステップとを有することを特徴とする。
【発明の効果】
【００２７】
本発明によれば、画像情報の印刷要求毎に、暗号化アルゴリズムを逐次変更しながら短時間に暗号化された画像データを生成でき、盗視者が画像データを取得できても、暗号化アルゴリズムがその都度変更されているので、解読が困難な画像データを出力先の画像処理装置に転送できるセキュリティ面に優れた画像データ転送処理システムを自在に構築できる。
【００２８】
また、画像情報の印刷要求毎に、復号化アルゴリズムを瞬時に変更しながら短時間に復号化された画像データを生成でき、盗視者が画像データを取得できても、復号化アルゴリズムがその都度変更されているので、解読が困難な画像データを出力先の画像処理装置に転送できるセキュリティ面に優れた画像データ転送処理システムを自在に構築できる。
【発明を実施するための最良の形態】
【００２９】
次に本発明を実施するための最良の形態について図面を参照して説明する。
【００３０】
〔第１実施形態〕
＜システム構成の説明＞
図１は、本発明の第１実施形態を示す画像処理装置を適用可能な画像入出力システムの全体構成を説明するブロック図である。
【００３１】
図１において、リーダ部（画像入力装置）２００は、原稿画像を光学的に読み取り、画像データに変換する。リーダ部２００は、原稿を読取るための機能を持つスキャナユニット２１０と、原稿用紙を搬送するための機能を持つ原稿給紙ユニット２５０とで構成される。
【００３２】
プリンタ部（画像出力装置）３００は、記録紙を搬送し、その上に画像データを可視画像として印字して装置外に排紙する。プリンタ部３００は、複数種類の記録紙カセットを持つ給紙ユニット３１０と、画像データを記録紙に転写、定着させる機能を持つマーキングユニット３２０と、印字された記録紙をソート、ステイプルして機外へ出力する機能を持つ排紙ユニット３３０とで構成される。
【００３３】
制御装置１１０は、リーダ部２００、プリンタ部３００と電気的に接続され、さらにネットワーク４００を介して、画像処理装置４０３，４０４と接続されている。画像処理装置５００，６００は、それぞれホストコンピュータ４０１，４０２とネットワーク４００に接続されている。画像処理装置５００，６００はそれぞれホストコンピュータ４０１，４０２に対して外付けの構成であっても良いし、ホストコンピュータ４０１，４０２のＰＣＩスロット等に挿入する拡張ボードの構成であっても良い。
【００３４】
制御装置１１０は、リーダ部２００を制御して、原稿の画像データを読込み、プリンタ部３００を制御して画像データを記録用紙に出力してコピー機能を提供する。
【００３５】
また、リーダ部２００から読取った画像データを、コードデータに変換し、ネットワーク４００、画像処理装置５００，６００を介してホストコンピュータ４０１，４０２へ送信するネットワークスキャナ機能およびホストコンピュータ４０１，４０２から画像処理装置５００，６００、ネットワーク４００を介して受信したコードデータを画像データに変換し、プリンタ部３００に出力するネットワークプリンタ機能を提供する。
【００３６】
操作部１８０は、制御装置１１０に接続され、液晶タッチパネルで構成され、画像入出力システムを操作するためのユーザＩ／Ｆを提供する。
【００３７】
図２は、図１に示したリーダ部２００及びプリンタ部３００の構成を説明する断面図である。
【００３８】
図２において、リーダ部２００の原稿給紙ユニット２５０は原稿２０２を先頭順に１枚ずつプラテンガラス２１１上へ給送し、原稿の読み取り動作終了後、プラテンガラス２１１上の原稿２０２を排出するものである。原稿２０２がプラテンガラス２１１上に搬送されると、ランプ２１２を点灯し、そして光学ユニット２１３の移動を開始させて、原稿２０２を露光走査する。この時の原稿２０２からの反射光は、ミラー２１４，２１５，２１６及びレンズ２１７によってＣＣＤイメージセンサ（以下ＣＣＤという）２１８へ導かれる。このように、走査された原稿２０２の画像はＣＣＤ２１８によって読み取られる。
【００３９】
２２２はリーダ画像処理部であり、ＣＣＤ２１８から出力される画像データに所定の処理を施し、スキャナＩ／Ｆ１４０を介して制御装置１１０へと出力するところである。３５２はプリンタ画像処理部であり、プリンタＩ／Ｆ１４５を介して制御装置１１０から送られる画像信号をレーザドライバへと出力する。
【００４０】
プリンタ部３００のレーザドライバ３１７は、レーザ発光部３１３を駆動するものであり、プリンタ画像処理部３５２から出力された画像データに応じたレーザ光をレーザ発光部３１３が発光する。このレーザ光はミラー３４０，３４１，３４２によって感光ドラム３２５に照射され、感光ドラム３２５にはレーザ光に応じた潜像が形成される。
【００４１】
３２１，３２２，３２３，３２４は、それぞれブラック（Ｂｋ）、イエロー（Ｙ）、シアン（Ｃ）、マゼンダ（Ｍ）のトナーによって、潜像を現像するための現像器であり、現像された各色のトナーは、用紙に転写されフルカラーのプリントアウトがなされる。
【００４２】
用紙カセット３６０，３６１及び手差しトレイ３６２のいずれかより、レーザ光の照射開始と同期したタイミングで給紙された用紙は、レジストローラ３３３を経て、転写ドラム３３４上に吸着され、搬送される。
【００４３】
そして、感光ドラム３２５（３２６，３２７，３２８）に付着された現像剤を記録紙に転写する。現像剤の乗った記録紙は定着部３３５に搬送され、定着部３３５の熱と圧力により現像剤は記録紙に定着される。定着部３３５を通過した記録紙は排出ローラ３３６によって排出され、排紙ユニット３７０は排出された記録紙を束ねて記録紙の仕分けをしたり、仕分けされた記録紙のステイプルを行う。
【００４４】
また、両面記録が設定されている場合は、排出ローラ３３６のところまで記録紙を搬送した後、排出ローラ３３６の回転方向を逆転させ、フラッパ３３７によって再給紙搬送路３３８へ導く。再給紙搬送路３３８へ導かれた記録紙は上述したタイミングで転写ドラム３３４へ給紙される。
【００４５】
＜リーダ画像処理部の説明＞
図３は、図２に示したリーダ画像処理部２２２の詳細な構成を示すブロック図である。
【００４６】
図３において、リーダ画像処理部２２２では、プラテンガラス２１１上の原稿はＣＣＤ２１８に読み取られて電気信号に変換される（ＣＣＤ２１８はカラーセンサの場合、ＲＧＢのカラーフィルタが１ラインＣＣＤ上にＲＧＢ順にインラインに乗ったものでも、３ラインＣＣＤで、それぞれＲフィルタ、Ｇフィルタ、ＢフィルタをそれぞれのＣＣＤごとに並べたものでも構わないし、フィルタがオンチップ化又は、フィルタがＣＣＤと別構成になったものでも構わない）。
【００４７】
そして、その電気信号（アナログ画像信号）はリーダ画像処理部２２２に入力され、クランプ＆Ａｍｐ．＆Ｓ／Ｈ＆Ａ／Ｄ部４０１でサンプルホールド（Ｓ／Ｈ）され、アナログ画像信号のダークレベルを基準電位にクランプし、所定量に増幅され（上記処理順番は表記順とは限らない）、Ａ／Ｄ変換されて、例えばＲＧＢ各８ビットのデジタル信号に変換される。そして、ＲＧＢ信号はシェーディング部４０２で、シェーディング補正及び黒補正が施された後、制御装置１１０へと出力される。
【００４８】
＜制御装置の説明＞
図４は、図３に示した制御装置１１０の機能を説明するブロック図である。
【００４９】
図４において、メインコントローラ１１１は、主にＣＰＵ１１２と、バスコントローラ１１３、各種Ｉ／Ｆコントローラ回路とから構成される。ＣＰＵ１１２とバスコントローラ１１３は制御装置１１０全体の動作を制御するものであり、ＣＰＵ１１２はＲＯＭ１２０からＲＯＭ  Ｉ／Ｆ１２１を経由して読込んだプログラムに基づいて動作する。
【００５０】
また、ネットワークコントローラ１２５を介してネットワーク４００に接続されるホストコンピュータ４０１，４０２等から受信したＰＤＬ（ページ記述言語）コードデータを解釈し、ラスタイメージデータに展開する動作も、このプログラムに記述されており、ソフトウエアによって処理される。バスコントローラ１１３は各Ｉ／Ｆから入出力されるデータ転送を制御するものであり、バス競合時の調停やＤＭＡデータ転送の制御を行う。
【００５１】
ＤＲＡＭ１２２は、ＤＲＡＭ  Ｉ／Ｆ１２３によってメインコントローラ１１１と接続されており、ＣＰＵ１１２が動作するためのワークエリアや、画像データを蓄積するためのエリアとして使用される。調歩同期式のシリアル通信コントローラ１１４は、リーダ部２００、プリンタ部３００の各ＣＰＵとシリアルバス１７２，１７３を介して制御コマンドを送受信し、操作部１８０のタッチパネルやキー入力の通信を行う。
【００５２】
Ｎｅｔｗｏｒｋ  Ｃｏｎｔｏｒｌｌｅｒ１２５はＩ／Ｆ１２７によってメインコントローラ１１１と接続され、コネクタ１２６によって外部のネットワーク４００と接続される。ネットワーク４００としては一般的にイーサネット（登録商標）があげられる。
【００５３】
暗号化／復号化処理部１７４は、Ｉ／Ｆ１７５を介してメインコントローラ１１１と接続され、ホストコンピュータ４０１，４０２等より受信した暗号化されているＰＤＬコードデータを復号化する処理を行う。また、リーダ部２００により読み取った画像データをネットワーク４００を介して転送する際には暗号化する処理を行う。
【００５４】
暗復号方式選択情報生成部１７６は、Ｉ／Ｆ１７７を介してメインコントローラ１１１と接続され、ホストコンピュータ４０１，４０２等に対してＰＤＬコードデータの送信要求を行う毎に、外部のネットワーク４００を介して接続される画像処理装置５００，６００に対して送信する暗号化方式選択信号と、対になる復号化方式選択信号とを生成する。なお、暗号化／復号化処理の詳細については後に説明する。
【００５５】
シリアルコネクタ１２４は、メインコントローラ１１１と接続されて、外部機器との通信を行う。シリアルバスとしては一般的にＵＳＢがあげられる。
【００５６】
ＦＡＮ１２８はメインコントローラ１１１に接続され、コントローラ部１１０を冷却するのに用いる。温度監視ＩＣ１４２は、シリアルバス１４３によってメインコントローラ１１１に接続されている。温度監視ＩＣ１４２はＦＡＮ１２８の制御や、リアルタイムクロックモジュール１３７の温度補正等に用いられる。
【００５７】
汎用高速バス１３０には、拡張ボードを接続するための拡張コネクタ１３５とＩ／Ｏ制御部１３６，ＨＤコントローラ１３１，Ｃｏｄｅｃ１３３とが接続される。汎用高速バスとしては、一般的にＰＣＩバスがあげられる。
【００５８】
Ｃｏｄｅｃ１３３は、ＤＲＡＭ１２２に蓄積されたラスタイメージデータをＭＨ／ＭＲ／ＭＭＲ／ＪＢＩＧ／ＪＰＥＧ等の方式で圧縮し、また逆に圧縮され蓄積されたコードデータをラスタイメージデータに伸長する。ＳＲＡＭ１３４は、Ｃｏｄｅｃ１３３の一時的なワーク領域として使用される。ＤＲＡＭ１２２との間のデータの転送は、バスコントローラ１１３によって制御されＤＭＡ転送される。
【００５９】
ＨＤコントローラ１３１は、外部記憶装置を接続するためのものである。本実施形態においては、このＩ／Ｆを介してハードディスクドライブ１３２を接続している。ハードディスクドライブ１３２はプログラムを格納したり、画像データを記憶するのに用いている。
【００６０】
Ｉ／Ｏ制御部１３６は、データバス１４４の制御を行い、ポート制御部１４５や割り込み制御部１４６の制御を行う。パネルＩ／Ｆ１４１は、ＬＣＤコントローラ１４０に接続され、操作部１８０上の液晶画面に表示を行うためのＩ／Ｆと、ハードキーやタッチパネルキーの入力を行うためのキー入力Ｉ／Ｆ１７１とから構成される。
【００６１】
操作部１８０は、液晶表示部と液晶表示部上に張り付けられたタッチパネル入力装置と、複数個のハードキーを有する。タッチパネルまたはハードキーにより入力された信号は前述したパネルＩ／Ｆ１７１を介してＣＰＵ１１２に伝えられ、液晶表示部はパネルＩ／Ｆ１４１から送られてきた画像データを表示するものである。
【００６２】
リアルタイムクロックモジュール１３７は、機器内で管理する日付と時刻を更新／保存するためのもので、バックアップ電池１３８によってバックアップされている。
【００６３】
ＳＲＡＭ１３９は、バックアップ電池１３８でバックアップされ、ユーザモードや各種設定情報や、ハードディスクドライブ１３２のファイル管理情報等を蓄積している。Ｇｒａｐｈｉｃ  Ｐｒｏｃｅｓｓｏｒ１５１は、ＤＲＡＭ１２２に蓄積された画像データに対して、画像回転、画像変倍、色空間変換、二値化、スキャナ画像入力、プリンタ画像出力の処理を行う。ＤＲＡＭ１５２はＧｒａｐｈｉｃ  Ｐｒｏｃｅｓｓｏｒ１５１の一時的なワーク領域として使用される。Ｇｒａｐｈｉｃ  Ｐｒｏｃｅｓｓｏｒ１５１はＩ／Ｆ１５０を介してメインコントローラ１１１と接続され、ＤＲＡＭ１２２との間のデータの転送は、バスコントローラ１１３によって制御されＤＭＡ転送される。
【００６４】
コネクタ１６０と１５５は、それぞれリーダ部２００とプリンタ部３００とに接続され、同調歩同期シリアルＩ／Ｆ（１７３，１７２）とビデオＩ／Ｆ（１６３，１６２）とから構成される。
【００６５】
スキャナ画像処理部１５７は、コネクタ１６０を介してリーダ部２００と接続され、また、スキャナバス１６１によってＧｒａｐｈｉｃ  Ｐｒｏｃｅｓｓｏｒ１５１と接続されており、リーダ部２００から受け取った画像に対して所定の処理を施す機能を有し、さらに、リーダ部２００から送られたビデオ制御信号をもとに生成した制御信号を、スキャナバス１６１に出力する機能も有する。
【００６６】
ＦＩＦＯ１５８は、スキャナ画像処理部１５７と接続され、リーダ部２００から送られてくるビデオ信号のライン補正を行うのに用いられる。プリンタ画像処理部１５３は、コネクタ１５５を介してプリンタ部３００と接続され、また、プリンタバス１５６によってＧｒａｐｈｉｃ  Ｐｒｏｃｅｓｓｏｒ１５１と接続されており、Ｇｒａｐｈｉｃ  Ｐｒｏｃｅｓｓｏｒ１５１から出力された画像データに所定の処理を施して、プリンタ部３００へ出力する機能を有し、さらに、プリンタ部３００から送られたビデオ制御信号をもとに生成した制御信号を、プリンタバス１６２に出力する機能も有する。
【００６７】
ＤＲＡＭ１５４は、プリンタ画像処理部１５３に接続され、ビデオ信号を一定時間遅延させるのに用いられる。
【００６８】
ＤＲＡＭ１２２上に展開されたラスタイメージデータのプリンタ部への転送は、バスコントローラ１１３によって制御され、Ｇｒａｐｈｉｃ  Ｐｒｏｃｅｓｓｏｒ１５１、プリンタ画像処理部１５３、コネクタ１５５を経由して、プリンタ部３００へＤＭＡ転送される。
【００６９】
＜スキャナ画像処理部の説明＞
図５は、図４に示したスキャナ画像処理部１５７の詳細構成を説明するブロック図である。
【００７０】
図５において、リーダ部２００からコネクタ１６０を介して送られる画像信号に対して、つなぎ＆ＭＴＦ補正部６０１で読取速度に応じてライン毎の遅延量を調整し、読取速度によって変化したＭＴＦを補正する。ＣＣＤ２１８が３ラインＣＣＤの場合、つなぎ処理は３ラインの読取位置が同じになるように信号タイミングを補正する。
【００７１】
ＦＩＦＯ１５８は、ライン遅延のバッファとして用いる。読取位置タイミングが補正されたデジタル信号は入力マスキング部６０２によって、ＣＣＤ２１８の分光特性及びランプ２１２及びミラー２１４，２１５，２１６の分光特性を補正する。入力マスキング部６０２の出力はＡＣＳカウント部６０３及びＧｒａｐｈｉｃ  Ｐｒｏｃｅｓｓｏｒ１５１へと送られる。
【００７２】
＜ＡＣＳカウント部の説明＞
図６は、図５に示したＡＣＳ（オートカラーセレクト）カウント部の構成を説明するブロック図である。
【００７３】
なお、オートカラーセレクト（以下ＡＣＳ）は、原稿がカラーなのか白黒なのかを判断する。つまり画素ごとの彩度を求めてある閾値以上の画素がどれだけ存在するかでカラー判定を行うものである。しかし、白黒原稿であっても、ＭＴＦ等の影響により、ミクロ的に見るとエッジ周辺に色画素が多数存在し、単純に画素単位でＡＣＳ判定を行うのは難しい。このＡＣＳ手法はさまざまな方法が提供されているが、本実施形態ではＡＣＳの方法にはこだわらない為、ごく一般的な手法で説明を行う。
【００７４】
前記したように、白黒画像でもミクロ的に見ると色画素が多数存在するわけであるから、その画素が本当に色画素であるかどうかは、注目画素に対して周辺の色画素の情報で判定する必要がある。
【００７５】
図６において、５０１はフィルタであり、注目画素に対して周辺画素を参照する為にＦＩＦＯの構造をとる。５０２は領域検出回路で、メインコントローラ１１１からセットされたレジスタ５０７〜５１０に設定された値と、リーダ部２００から送られたビデオ制御信号５１２を元に、ＡＣＳをかける領域信号５０５を作成する回路である。
【００７６】
色判定部５０３は、ＡＣＳをかける領域信号５０５に基づき、注目画素に対してフィルタ５０１内のメモリ内の周辺画素を参照し、注目画素が色画素か白黒画素かを決定する為の色判定部である。５０４はカウンタで、色判定部５０３が出力した色判定信号５０６の個数を数えるカウンタである。
【００７７】
メインコントローラ１１１は、読み込み範囲に対してＡＣＳをかける領域を決定し、レジスタ５０７〜５１０に設定する（本実施形態では、原稿に対して独立で範囲を決める構成をとる）。また、メインコントローラ１１１はＡＣＳをかける領域内での色判定信号の個数を計数するカウンタの値を、所定の閾値と比較し、当該原稿がカラーなのか白黒なのかを判断する。
【００７８】
レジスタ５０７〜５１０には、主走査方向、副走査方向それぞれについて、色判定部５０３が判定を開始する位置、判定を終了する位置を、リーダ部２００から送られたビデオ制御信号５１２に基づいて設定しておく。本実施形態では、実際の原稿の大きさよりもそれぞれ１０ｍｍ程度小さめに設定している。
【００７９】
＜プリンタ画像処理部の説明＞
図７は、図４に示したプリンタ画像処理部１５３の構成を説明するブロック図である。
【００８０】
図７において、Ｇｒａｐｈｉｃ  Ｐｒｏｃｅｓｓｏｒ１５１から、プリンタバス１５６を介して送られる画像信号は、まずＬＯＧ変換部７０１に入力される。ＬＯＧ変換部７０１では、ＬＯＧ変換でＲＧＢ信号からＣＭＹ信号に変換する。次にモアレ除去部７０２でモアレが除去される。７０３はＵＣＲ＆マスキング部で、モアレ除去部７０２でモアレ除去処理されたＣＭＹ信号はＵＣＲ処理でＣＭＹＫ信号が生成され、ＵＣＲ＆マスキング部７０３でプリンタの出力にあった信号に補正される。ＵＣＲ＆マスキング部７０３で処理されたＣＭＹＫ信号は、セレクタ７０４において面順次に合わせて、１色ずつ選択され出力される。
【００８１】
セレクタ７０４から出力される面順次の１色毎のカラー画像信号は、Ｆ値＆カラーバランス補正部７０５で、プリント画像の濃度調整と、カラーバランスを現像色毎に調整する。Ｆ値＆カラーバランス補正部７０５からのＣＭＹＫの画像信号は、乱数加算部７０６へ送られる。
【００８２】
乱数加算部７０６では、ＰＣ４０１，４０２によってグラデーション等の滑らかに色変化するカラーのプリント画像を形成する際に、プリンタ側のγ特性によって階調によって色変化の色差が大きくなって筋が生じることを防止する為に、特定の階調領域に対して乱数を画像信号に対して加算する。
【００８３】
γ補正部７０７では、プリンタの非線形なγ特性を補正してリニアな濃度調整を行えるよう制御する。ここのγ補正部７０７では、後段のハーフトーン処理部７０８で行うスクリーンの種類に合わせて、それぞれ別々のγ補正を行う。従って補正テーブルはスクリーン種類（スクリーン処理１、スクリーン処理２、ＴＭＩＣ処理）分の３種類のテーブルで構成され、γ補正部７０７以降の画像信号は３系統に分かれる。またスクリーンによって濃度領域毎に階調補正を行う場合もこのγ補正部７０７で行われる。
【００８４】
ハーフトーン処理部７０８は原稿の種類（写真、文字、印刷紙等）に合わせて、線数、スクリーンパターン、スクリーン角度等を制御するスクリーン処理を行う。本実施形態におけるスクリーン処理の種類は、階調性を重視するスクリーン処理１、解像度を重視するスクリーン処理２、そして白黒２値のスクリーン処理のＴＭＩＣ処理の３種類のスクリーン処理を選択して、画像信号に対して中間調処理を行う。
【００８５】
ＳＳＴ７０９は、ＰＣ４０１，４０２より画像をプリントする際に、例えば６００ｄｐｉの多値の画像信号から２倍の解像度の１２００ｄｐｉの多値画像信号を生成する。出力トリミング＆マスキング部７１０では、読み取った画像信号からプリントしたい領域のみを矩形で指定して抽出してトリミング出力したり、又は逆にマスキングして出力する機能を有している。
【００８６】
アドオン部７１１は、画像信号に読み取り画像信号以外の情報を付加する機能を有している。アドオン部７１１からの画像出力信号はコネクタ１５５を介してプリンタ部３００へと送られる。
【００８７】
＜暗号化処理／復号化処理の説明＞
図８は、本発明に係る画像入出力システムにおける暗号化処理、復号化処理を説明するブロック図であり、図１，図４等と同一のものには同一の符号を付してある。
【００８８】
図１に示した画像処理装置５００内の暗号化処理部５０２及び画像入出力システム１００内の復号化処理部１７４は、ネットワーク４００を介してプリントデータを盗み、画像データの中身を閲覧しようとする盗視者により容易に中身を推測できないようにする為に、逐次暗号化のアルゴリズムを変更できるように、瞬時に回路構成を書き換えることが可能に構成される。
【００８９】
これにより、簡易な暗号化で用いられる、単にＬＵＴのテーブルを変更するような暗号化方式ではなく、複雑化され処理に時間のかかる暗号化のアルゴリズムをそのままハードに置き換えることが可能になる。
【００９０】
ホストコンピュータ４０１，４０２等より画像情報をプリントする際、ホストコンピュータ４０１からの画像情報は、予め組み込まれているドライバによりＰＤＬコードデータへと変換されて画像処理装置５００へと送られる。データ処理部５０１はＰＤＬコードデータに対してプリントすべきプリントジョブ情報を負荷する。
【００９１】
暗号化処理部５０２はＰＤＬコードデータをある特定の暗号化アルゴリズムに従って変換することにより暗号化を行う。暗号化アルゴリズムは一義的な関数で表現される。ネットワーク４００は、本実施形態においては画像処理装置５００と画像入出力システム１００の間で画像データ及び暗号化を行う為に必要な暗号化／復号化方式選択情報を送受信する為の通信媒体で、あるフロアやビル内の各入出力装置同士を接続するローカルネットワークやインターネットなどである。
【００９２】
復号化処理部１７４はネットワーク４００を介して送信される暗号化されたＰＤＬコードデータをある特定の復号化アルゴリズムに従って変換することにより復号化を行う。
【００９３】
復号化アルゴリズムは一義的な関数で表現され、暗号化処理部５０２で使用する暗号化関数の逆関数となる。
【００９４】
ＤＲＡＭ１２２は画像データを一時的に格納する為のメモリで、復号化されたＰＤＬコードデータや、ＰＤＬコードデータを解釈してラスタ画像データに変換した画像データが格納される。
【００９５】
メインコントローラ１１１はＤＲＡＭ１２２に格納されているＰＤＬコードデータを解釈してラスタ画像データに変換して、ＤＲＡＭ１２２に格納する。
【００９６】
プリンタ画像処理部１５３はＤＲＡＭ１２２に格納されているラスタ画像データをリードして、各プリンタ用の画像処理を行い、後段のプリンタ部３００へ出力する。
【００９７】
暗復号方式選択情報生成部１７６は、暗号化処理部５０２及び復号化処理部１７４において、それぞれ暗号化及び復号化を行うにあたりどのような暗号化アルゴリズム及び復号化アルゴリズムを使用するかを決める為の情報である、暗号化方式選択情報と復号化方式選択情報とを生成する。この暗号化方式選択情報と復号化方式選択情報は、ホストコンピュータ４０１よりプリント要求がある毎に毎回生成される。暗号化方式選択情報はＣＰＵ５０４に、復号化方式選択情報はＣＰＵ１１２に送信される。特にＣＰＵ５０４に暗号化方式選択情報を送信する際には、公知の共通鍵暗号化方式や公開鍵暗号化方式を用いて暗号化方式選択情報に対して暗号化を施した上で送信することにより暗号化方式選択情報をネットワークに送出することに対するセキュリティを確保する。
【００９８】
ＣＰＵ５０４及びＣＰＵ１１２は暗復号方式選択情報生成部１７６で生成された暗号化方式選択情報、或いは復号化方式選択信号をそれぞれ解釈して暗号化／復号化アルゴリズムを決定し、ＲＯＭ５０３及びＲＯＭ１２０にそれぞれ予め格納されている複数の回路情報（コンフィギュレーションデータ）のうちどの回路情報を暗号化処理部５０２及び復号化処理部１７４へロードするかを選択する。
【００９９】
ＲＯＭ５０３及びＲＯＭ１２０は暗号化処理部５０２及び復号化処理部１７４の為の複数の回路情報（コンフィギュレーションデータ）を予め格納してあり、暗号化方式選択情報、或いは復号化方式選択情報に基づきＣＰＵ５０４及びＣＰＵ１１２により指示された回路情報を選択してそれぞれ暗号化処理部５０２及び復号化処理部１７４へリードされる。
【０１００】
ホストコンピュータより画像情報をプリントする際の暗号化処理／復号化処理に関わる動作フローについては、後述のＰＤＬ画像出力時のシーケンスにおいて説明する。
【０１０１】
上記のように構成された画像処理システムにおいて、本実施形態では以下の特徴的構成を備える。
【０１０２】
ホストコンピュータ４０１から出力される所定の言語で記述された画像情報を処理する画像入出力システム１００とネットワーク４００を介して通信可能な画像処理装置５００は、画像情報を暗号化するための回路情報を複数記憶するＲＯＭ５０３と、前記画像情報の印刷要求毎に、画像入出力システム１００から前記ネットワークを介して取得する暗号化方式選択情報に基づいて、ＲＯＭ５０３からいずれかの回路情報を選択する。具体的には、図８に示すＣＰＵ５０４が暗復号方式選択情報生成部１７６から転送される暗号化方式選択情報に基づき、ＲＯＭ５０３から回路情報を選択する。
【０１０３】
そして、選択される回路情報に基づいて決定される暗号化アルゴリズムで前記画像情報を暗号化処理する暗号化処理部１７４を備え、暗号化処理部１７４により暗号化された画像データをネットワーク４００を介して画像入出力システム１００に転送する、例えば図８に示すＣＰＵ５０４が実行する図１２に示すステップＳ５００８による転送処理する。
【０１０４】
これにより、画像情報の印刷要求毎に、暗号化アルゴリズムを逐次変更しながら短時間に暗号化された画像データを生成でき、盗視者が画像データを取得できても、暗号化アルゴリズムがその都度変更されているので、解読が困難な画像データを出力先の画像処理装置に転送できるセキュリティ面に優れた画像データ転送処理システムを自在に構築できる。
【０１０５】
なお、暗号化処理部１７４は、ＣＰＵ５０４がＲＯＭ５０３から選択される回路情報に基づいて決定される暗号化アルゴリズムで画像情報を暗号化処理するデバイスで構成する。
【０１０６】
これにより、印刷要求毎に暗号化アルゴリズムを変更し、かつ、短時間に暗号化処理を完了できる。
【０１０７】
一方、ホストコンピュータ４０１から出力される所定の言語で記述された画像情報を処理する画像処理装置５００とネットワーク４００を介して通信可能な画像入出力システム１００は、画像処理装置５００から暗号化されて転送される画像データを復号化するための回路情報を複数記憶するＲＯＭ１２０と、前記画像情報の印刷要求毎に異なる復号方式選択情報を生成する暗復号方式選択情報生成部１７６と、前記画像情報の印刷要求毎に、暗復号方式選択情報生成部１７６により生成される前記異なる復号化方式選択情報を制御装置１１０の復号化処理部１７４に転送する機能（図８に示すＣＰＵ１１２が実行する、図１２に示すステップＳ５００３）と、画像情報の印刷要求毎に、前記暗復号方式選択情報生成手段により生成される異なる復号化方式選択情報に基づいて、前記記憶手段からいずれかの回路情報を選択する選択機能（図８に示すＣＰＵ１１２が実行する、図１２に示すステップＳ５００４）と、選択される回路情報に基づいて決定される復号化アルゴリズムで前記画像情報を復号化処理する復号化処理部１７４と、前記復号化処理手段により復号化される画像データを翻訳してラスタ画像データに変換する画像翻訳手段（図８に示すメインコントローラ１１１が実行する、図１２に示すステップＳ５０１０）と、前記画像翻訳手段により翻訳される前記ラスタ画像データを印刷処理する印刷機能（図８に示すメインコントローラ１１１が実行する、図１２に示すステップＳ５０１１〜Ｓ５０１５）とを有する。
【０１０８】
これにより、画像情報の印刷要求毎に、復号化アルゴリズムを逐次変更しながら短時間に復号化された画像データを生成でき、盗視者が画像データを取得できても、復号化アルゴリズムがその都度変更されているので、解読が困難な画像データを出力先の画像処理装置に転送できるセキュリティ面に優れた画像データ転送処理システムを自在に構築できる。
【０１０９】
なお、復号化処理部１７４は、ＣＰＵ１１２により選択される回路情報に基づいて決定される復号化アルゴリズムで前記画像情報を復号化処理するデバイスで構成する。
【０１１０】
これにより、印刷要求毎に復号化アルゴリズムを変更し、かつ、短時間に復号化処理を完了できる。
【０１１１】
次に、画像入出力システム１００のリーダ部２００によりスキャンした画像をホストコンピュータ４０１へセンドする際の暗号化処理／復号化処理について図９を用いて説明する。
【０１１２】
図９は、本発明に係る画像入出力システムにおける暗号化処理、復号化処理を説明するブロック図であり、図１，図４，図８等と同一のものには同一の符号を付してある。なお、画像情報を転送する場合は、暗号化処理と復号化処理を担当するブロックがプリント時と逆の関係になり、リコンフィギュアブルデバイスで構成される復号化処理部５０５及び暗号化処理部５０２はそれぞれ暗号化処理、復号化処理を行うように回路情報を書き換えられる。
【０１１３】
図９において、暗復号方式選択情報生成部１７６において生成される、暗号化方式選択情報はＣＰＵ１１２へ、復号化方式選択情報はＣＰＵ５０４に対して送信される。
【０１１４】
スキャナ画像処理部１５７はリーダ部２００より入力した画像情報をスキャナ用のシェーディング補正やクランプ処理等の画像処理を行う。スキャナ画像処理部の出力画像情報はＤＲＡＭ１２２へ格納される。暗号化処理部５０２はＤＲＡＭ１２２上に格納された画像情報を暗号化方式選択情報に従ってＲＯＭ１２０よりロードされた暗号化アルゴリズム回路に従って暗号化を行う。
【０１１５】
復号化処理部５０５はネットワーク４００を介して送られる暗号化された画像情報を、復号化方式選択情報に従ってＲＯＭ５０３よりロードされた復号化アルゴリズム回路に従って復号化を行う。データ処理部５０１は復号化された画像情報がファイル化されていない場合は、圧縮されている画像データを伸長し、ホストコンピュータが解釈可能な画像処理コマンドに変換する。
【０１１６】
上記のように構成された画像処理システムにおいて、本実施形態では以下の特徴的構成を備える。
【０１１７】
画像入出力システム１００より暗号化されている画像データをネットワーク４００を介して取得してホストコンピュータ４０１に転送可能な画像処理装置５００であって、画像データを復号化するための回路情報を複数記憶する図９に示すＲＯＭ５０３と、前記画像データの取得要求毎に、前記他の画像処理装置から前記ネットワークを介して取得する異なる復号化方式選択情報に基づいて、前記記憶手段からいずれかの回路情報を選択する選択機能（図９に示すＣＰＵ１１２が実行する図１４に示すステップＳ７０１１により選択処理する）と、前記選択手段により選択される回路情報に基づいて決定される復号化アルゴリズムで前記画像情報を復号化処理する図９に示す復号化処理部５０５と、復号化処理部５０５により復号化された画像データを前記ホストコンピュータに送信する送信手段（図９に示すデータ処理部５０１が実行する送信処理機能（図１４に示すステップＳ７０１７））とを有する。
【０１１８】
これにより、画像入出力システム１００により読み取られた後、暗号化されている画像データを取得して復号化する場合に、その取得毎に、画像入出力システム１００から暗号化されている画像データを復号化するための復号化がその都度変更されているので、解読が困難な画像データを出力先の画像処理装置に転送できるセキュリティ面に優れた画像データ転送処理システムを自在に構築できる。
【０１１９】
なお、復号化処理部５０５は、ＣＰＵ５０４により選択される回路情報に基づいて決定される復号化アルゴリズムで前記画像情報を復号化処理するデバイスで構成する。
【０１２０】
これにより、印刷要求毎に復号化アルゴリズムを変更し、かつ、短時間に暗号化処理を完了できる。
【０１２１】
一方、原稿画像を読み取る読み取り手段（図９に示す画像入出力システム１００のスキャナユニット）を備え、読み取られる画像データを画像処理装置５００にネットワークを介して送信可能な画像入出力システム１００は、前記他の画像処理装置に送信すべき画像データを暗号化するための回路情報を複数記憶する図９に示すＲＯＭ１２０と、前記画像データの送信要求毎に、異なる暗号化方式選択情報と復号化方式選択情報とを生成する図９に示す暗復号方式選択情報生成部１７６と、前記画像データの送信要求毎に、前記暗復号方式選択情報生成手段により生成される前記異なる復号化方式選択情報を前記ネットワークを介して前記他の画像処理装置に転送する転送機能（図９に示す暗復号方式選択情報生成部１７６による、図１４に示すステップＳ７０１０）と、前記画像データの送信要求毎に、前記暗復号方式選択情報生成部１７６により生成される異なる暗号化方式選択情報に基づいて、ＲＯＭ１２０からいずれかの回路情報を選択する選択機能（図９に示すＣＰＵ１３０による、図１４に示すステップＳ７０１１）と、該選択機能により選択される回路情報に基づいて決定される暗号化アルゴリズムで前記画像情報を暗号化処理して送信すべき画像データを生成する図９に示す暗号化処理部１７４と、暗号化処理部１７４により生成される暗号化される画像データを前記他の画像処理装置に送信する送信機能（図９に示すＣＰＵ１１２による、図１４に示すステップＳ７０１５）とを有する。
【０１２２】
これにより、他の画像処理装置により読み取られた後、その画像データの送信要求毎に、読み取られる画像データを暗号化するための暗号化がその都度変更されているので、解読が困難な画像データを出力先の画像処理装置に転送できるセキュリティ面に優れた画像データ転送処理システムを自在に構築できる。
【０１２３】
なお、暗号化処理部１７４は、ＣＰＵ１２０により選択される回路情報に基づいて決定される暗号化アルゴリズムで前記画像情報を暗号化処理するデバイスで構成する。
【０１２４】
これにより、印刷要求毎に暗号化アルゴリズムを変更し、かつ、短時間に暗号化処理を完了できる。
【０１２５】
＜Ｇｒａｐｈｉｃ  Ｐｒｏｃｅｓｓｏｒの説明＞
Ｇｒａｐｈｉｃ  Ｐｒｏｃｅｓｓｏｒ１５１についての詳細な説明を行う。
【０１２６】
図１０は、図４に示したＧｒａｐｈｉｃ  Ｐｒｏｃｅｓｓｏｒ１５１の詳細な構成を示すブロック図である。
【０１２７】
図１０において、Ｇｒａｐｈｉｃ  Ｐｒｏｃｅｓｓｏｒ１５１は、画像回転、画像変倍、色空間変換、二値化、スキャナ画像入力、プリンタ画像出力の処理をそれぞれ行うモジュールを有する。
【０１２８】
ＤＲＡＭ１５２は、ＤＲＡＭコントローラ８０８を介して各々のモジュールの一時的なワーク領域として使用される。各々のモジュールが用いるＤＲＡＭ１５２のワーク領域が競合しないよう、あらかじめ各々のモジュールごとにワーク領域が静的に割り当てを行う。
【０１２９】
Ｇｒａｐｈｉｃ  Ｐｒｏｃｅｓｓｏｒ１５１はＩ／Ｆ１５０を介してメインコントローラ１１１と接続され、ＤＲＡＭ１２２との間のデータの転送は、バスコントローラ１１３によって制御されＤＭＡ転送される。バスコントローラ１１３は、ＧｒａｐｈｉｃＰｒｏｃｅｓｓｏｒ１５１の各々のモジュールにモード等を設定する制御及び、各々のモジュールに画像データを転送するためのタイミング制御を行う。
【０１３０】
入力インタフェース８１０は、Ｉ／Ｆ１５０から入力された画像データをＣｒｏｓｓＢａｒＳｗｉｔｃｈ８０９に入力する。画像データ形式は２値ラスタイメージデータ、多値ラスタイメージデータ、ＪＰＥＧ等を扱い、ＪＰＥＧ画像の場合は入力インタフェース８１０にてラスタイメージデータに変換してＣｒｏｓｓＢａｒＳｗｉｔｃｈ８０９にデータ出力する。
【０１３１】
出力インタフェース８１１は、ＣｒｏｓｓＢａｒＳｗｉｔｃｈ８０９から入力された画像データをＩ／Ｆ１５０に出力する。ＣｒｏｓｓＢａｒＳｗｉｔｃｈ８０９から入力される画像データ形式はラスタイメージデータであるが、出力インタフェース８１１でＪＰＥＧ圧縮を行ってＩ／Ｆ１５０にデータ出力することも行える。
【０１３２】
＜画像回転部の説明＞
図１１は、図１０に示した画像回転部８０１のデータ処理手順を説明する図であり、（ａ）は画像データの構造を示し、（ｂ）は画像回転処理を示す。
【０１３３】
図４に示すようにＩ／Ｆ１５０を介して、ＣＰＵ１１２からバスコントローラ１１３に画像回転制御のための設定を行う。この設定によりバスコントローラ１１３は画像回転部８０１に対して画像回転に必要な設定（たとえば画像サイズや回転方向・角度等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。尚、ここでは回転を行う画像サイズを。図１１の（ａ）に示すように、３２画素×３２ラインとし、又、画像バス２００８上に画像データを転送させる際に２４ｂｙｔｅ（ＲＧＢ各々８ｂｉｔで１画素分）を単位とする画像転送を行うものとする。
【０１３４】
上述のように、３２画素×３２ラインの画像を得るためには、上述の単位データ転送を３２×３２回行う必要があり、且つ不連続なアドレスから画像データを転送する必要がある。
【０１３５】
不連続アドレッシングにより転送された画像データは、読み出し時に所望の角度に回転されているように、ＳＲＡＭ１３４に書き込まれる。例えば、９０度反時計方向回転であれば、転送される画像データを、図１１の（ｂ）に示すようにＹ方向に書き込んでいく。読み出し時にＸ方向に読み出すことで、画像が回転される。
【０１３６】
３２画素×３２ラインの画像回転（ＤＲＡＭ１５２への書き込み）が完了した後、画像回転部８０１はＤＲＡＭ１５２から上述した読み出し方法で画像データを読み出し、バスコントローラ１１３に画像を転送する。回転処理された画像データを受け取ったバスコントローラ１１３は、連続アドレッシングを以て、ＤＲＡＭ１２２もしくはＩ／Ｆ上の各デバイスにデータを転送する。
【０１３７】
こうした一連の処理は、ＣＰＵ１１２からの処理要求が無くなるまで（必要なページ数の処理が終わったとき）繰り返される。
【０１３８】
＜画像変倍部の説明＞
以下に、図１０に示した画像変倍部８０２における処理手順を示す。
【０１３９】
図４に示すようにＩ／Ｆ１５０を介して、ＣＰＵ１１２からバスコントローラ１１３に画像変倍制御のための設定を行う。この設定によりバスコントローラ１１３は、図１０に示す画像変倍部８０２に対して画像変倍に必要な設定（主走査方向の変倍率、副走査方向の変倍率、変倍後の画像サイズ等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【０１４０】
画像変倍部８０２は、受け取った画像データを一時ＤＲＡＭ１５２に格納し、これを入力バッファとして用いて、格納したデータに対して主走査、副走査の変倍率に応じて必要な画素数、ライン数の分の補間処理を行って画像を拡大もしくは縮小することで、変倍処理する。変倍後のデータは再度ＤＲＡＭ１５２へ書き戻し、これを出力バッファとして画像変倍部８０２はＤＲＡＭ１５２から画像データを読み出し、バスコントローラ１１３に転送する。変倍処理された画像データを受け取ったバスコントローラ１１３は、ＤＲＡＭ１２２もしくはＩ／Ｆ上の各デバイスにデータを転送する。
【０１４１】
＜色空間変換部の説明＞
以下に、図１０に示した色空間変換部８０３における処理手順を示す。
【０１４２】
Ｉ／Ｆ１５０を介して、ＣＰＵ１１２からバスコントローラ１１３に色空間変換制御のための設定を行う。この設定によりバスコントローラ１１３は色空間変換部８０３およびＬＵＴ（ルック・アップ・テーブル）８０４に対して色空間変換処理に必要な設定（後述のマトリックス演算の係数、ＬＵＴ８０４のテーブル値等）を行う。
【０１４３】
そして、必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。色空間変換部８０３は、受け取った画像データ１画素ごとに対して、まず下記の数１で表される３×３のマトリックス演算を施す。
【０１４４】
【数１】
2006086594.tif 000003
【０１４５】
上式において、Ｒ，Ｇ，Ｂが入力、Ｘ，Ｙ，Ｚが出力、ａ１１，ａ１２，ａ１３，ａ２１，ａ２２，ａ２３，ａ３１，ａ３２，ａ３３，ｂ１，ｂ２，ｂ３，ｃ１，ｃ２，ｃ３がそれぞれ係数である。
【０１４６】
上式の演算によって、例えばＲＧＢ色空間からＹｕｖ色空間への変換など、各種の色空間変換を行うことができる。
【０１４７】
次に、マトリックス演算後のデータに対して、ＬＵＴ８０４による変換を行う。これによって、非線形の変換をも行うことができる。当然、スルーのテーブルを設定することにより、実質的にＬＵＴ変換を行わないこともできる。
【０１４８】
その後、色空間変換部８０３は色空間変換処理された画像データをバスコントローラ１１３に転送する。色空間変換処理された画像データを受け取ったバスコントローラ１１３は、ＤＲＡＭ１２２もしくはＩ／Ｆ上の各デバイスにデータを転送する。
【０１４９】
＜画像二値化部の説明＞
以下に、図１０に示した画像二値化部８０５における処理手順を示す。
【０１５０】
図１０に示すＩ／Ｆ１５０を介して、ＣＰＵ１１２からバスコントローラ１１３に二値化制御のための設定を行う。この設定によりバスコントローラ１１３は画像二値化部８０５に対して二値化処理に必要な設定（変換方法に応じた各種パラメータ等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【０１５１】
画像二値化部８０５は、受け取った画像データに対して二値化処理を施す。本実施形態では、二値化の手法としては、画像データを所定の閾値と比較して単純に二値化するものとする。もちろん、ディザ法、誤差拡散法、誤差拡散法を改良したものなど、いずれの手法によってもかまわない。
【０１５２】
その後、画像二値化部８０５は二値化処理された画像データをバスコントローラ１１３に転送する。二値化処理された画像データを受け取ったバスコントローラ１１３は、ＤＲＡＭ１２２もしくはＩ／Ｆ上の各デバイスにデータを転送する。
【０１５３】
＜スキャナ入力部の説明＞
以下にスキャナ入力部８０６における処理手順を示す。
【０１５４】
図１０に示したＩ／Ｆ１５０を介して、ＣＰＵ１１２からバスコントローラ１１３にスキャナ入力制御のための設定を行う。この設定によりバスコントローラ１１３はスキャナ入力部８０６に対して必要な設定（入力処理に応じた各種パラメータ等）を行う。必要な設定を行った後に、再度ＣＰＵ１１２からバスコントローラ１１３に対して画像データ転送の許可を行う。
【０１５５】
その後、スキャナ画像処理部１５７から入力される同期信号に同期して画像データがスキャナ入力部８０６に入力される。スキャナ入力部８０６は受け取った画像データを入力バッファとして一旦ＤＲＡＭ１５２に格納する。その後、スキャナ入力部はＤＲＡＭ１５２に格納した画像をバスコントローラ１１３に転送する。スキャナ入力画像データを受け取ったバスコントローラ１１３は、ＤＲＡＭ１２２もしくはＩ／Ｆ上の各デバイスにデータを転送する。
【０１５６】
＜プリンタ出力部の説明＞
以下にプリンタ出力部８０７における処理手順を示す。
【０１５７】
図１０に示すＩ／Ｆ１５０を介して、ＣＰＵ１１２からバスコントローラ１１３にプリンタ出力制御のための設定を行う。この設定によりバスコントローラ１１３はプリンタ出力部８０７に対して必要な設定（出力処理に応じた各種パラメータ等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【０１５８】
プリンタ出力部８０７は受け取った画像データを一旦ＤＲＡＭ１５２に格納する。その後プリンタ画像処理部１５３から入力される同期信号に応じてＤＲＡＭ１５２に格納した画像をプリンタ画像処理部１５３に出力する。
【０１５９】
＜ＰＤＬ画像出力時のシーケンス＞
図１２は、本発明に係る画像処理装置における第１のデータ処理手順の一例を示すフローチャートであり、コントローラ部１１０のＰＤＬ画像出力の手順を示すフローチャートである。なお、Ｓ５００１〜Ｓ５０１５は各ステップを示す。
【０１６０】
ＰＤＬ画像を出力する場合、ステップＳ５００１では、ＰＣ４０１上で、ユーザが、プリンタドライバが提供するユーザインタフェース画面上で、当該ＰＤＬ画像出力ジョブのプリント設定を行う。プリント設定内容は、部数、用紙サイズ、片面／両面、ページ出力順序、ソート出力、ステイプル止めの有無等である。
【０１６１】
そして、ステップＳ５００２では、ＰＣ４０１上で印刷指示を与え、それと共にＰＣ４０１上にインストールされているドライバソフトウェアが、印刷対象となるＰＣ４０１上のコードデータをいわゆるＰＤＬデータに変換する。
【０１６２】
次に、ステップＳ５００３では、ステップＳ５００２においてＰＣ４０１上で印刷指示が与えられると、ドライバソフトウェアにＰＤＬデータ変換要求を行うと同時に、画像入出力システム１００内の暗復号方式選択情報生成部１７６に対して暗復号方式選択情報生成要求を行う。
【０１６３】
暗復号方式選択情報生成部１７６はＰＣ４０１より暗復号方式選択情報生成要求を受けると、暗号化アルゴリズム及び復号化アルゴリズムを選択する為の暗号化方式選択情報、及び復号化方式選択信号からなる暗復号方式選択情報を作成する。そして、作成した暗号化方式選択情報はネットワーク４００を介して画像処理装置５００へ送信され、画像処理装置５００内の記憶メモリ（図示しない）へ格納される。また復号か方式選択情報はＤＲＡＭ１２２へ格納される。
【０１６４】
次に、ステップＳ５００４では、ＣＰＵ５０４、ＣＰＵ１１２がそれぞれ画像処理装置５００内の記憶メモリ（図示しない）、ＤＲＡＭ１２２へ格納された暗号化方式選択信号、復号化方式選択信号を読み取り、解読してＲＯＭ５０３、ＲＯＭ１２０へ予め格納されている回路情報の内、どの回路情報を暗号化処理部５０２、復号化処理部１７４へロードするかの指示を行う。
【０１６５】
次に、ステップＳ５００５では、ＣＰＵ５０４、ＣＰＵ１１２の指示よりロードされた回路情報に、暗号化処理部５０２、復号化処理部１７４の回路を書き換える。そして、ステップＳ５００６では、ステップＳ５００１で設定したプリント設定パラメータに従って、データ処理部５０１においてプリントジョブを作成し、ステップＳ５００２において、作成したＰＤＬデータとともに後段の暗号化処理部５０２へ出力する。
【０１６６】
そして、ステップＳ５００７では、データ処理部５０１より送られたＰＤＬデータを、回路構成を書き換えられた暗号化処理部５０２により暗号化を行う。次に、ステップＳ５００８では、暗号化されたＰＤＬデータをネットワーク４００を介して画像入出力システム１００へ送信する。
【０１６７】
そして、ステップＳ５００９では、ネットワーク４００、コネクタ１２６およびＮｅｔｗｏｒｋＣｏｎｔｒｏｌｌｅｒ１２５を介して転送された暗号化されたＰＤＬデータを、回路構成を書き換えられた復号化処理部１７４により復号化を行う。
【０１６８】
そして、ステップＳ５０１０では、制御装置１１０のメインコントローラ１１１のＣＰＵ１１２が、復号化されたＰＤＬデータを、同時に復号化されたプリントジョブ内のプリント設定パラメータに基づいて、画像データに展開（ラスタライズ）する。画像データの展開は、ＤＲＡＭ１２２上に行われる。画像データの展開が完了すると、Ｓ５０１１へ進む。
【０１６９】
そして、ステップＳ５０１１では、メインコントローラ１１１がＤＲＡＭ１２２上に展開された画像データを、Ｇｒａｐｈｉｃ  Ｐｒｏｃｅｓｓｏｒ１５１に転送する。次に、ステップＳ５０１２では、Ｇｒａｐｈｉｃ  Ｐｒｏｃｅｓｓｏｒ１５１が、前記プリント設定パラメータとは独立に、画像処理を行う。
【０１７０】
例えば、前記プリント設定パラメータで指定された用紙サイズがＡ４であるにもかかわらず、プリンタ部３００の給紙ユニット３１０にはＡ４Ｒ用紙しかない場合には、Ｇｒａｐｈｉｃ  Ｐｒｏｃｅｓｓｏｒ１５１で画像を９０度回転することによって、出力用紙にあわせた画像出力を行うことができる。画像データの画像処理が完了するとＳ５０１３へ進む。
【０１７１】
そして、ステップＳ５０１３では、Ｇｒａｐｈｉｃ  Ｐｒｏｃｅｓｓｏｒ１５１がメインコントローラ１１１へ画像処理後の画像データを転送する。メインコントローラ１１１は、転送されてきた画像データをＤＲＡＭ１２２上に記憶する。次に、ステップＳ５０１４では、メインコントローラ１１１はＧｒａｐｈｉｃ  Ｐｒｏｃｅｓｓｏｒ１５１、プリンタ画像処理部１５３およびコネクタ１５５を介して、プリンタ部３００を制御しつつ、適切なタイミングでＤＲＡＭ１２２上の画像データを、プリンタ部３００へと転送する。
【０１７２】
そして、ステップＳ５０１５では、制御装置１１０が、プリンタ部３００を制御して画像データをプリント出力する。画像データの転送が完了すると、すなわち当該ＰＤＬジョブが終了すると、プリント出力を終了する。
【０１７３】
＜コピー画像出力時のシーケンス＞
図１３は、本発明に係る画像処理装置における第２のデータ処理手順の一例を示すフローチャートであり、コピー画像出力手順を示すフローチャートである。
【０１７４】
なお、Ｓ６００１〜Ｓ６００８は各ステップを示す。
【０１７５】
コピー画像を出力する場合、ステップＳ６００１では、操作部１８０上でユーザが当該コピー画像出力ジョブのコピー設定を行う。コピー設定内容は、部数、用紙サイズ、片面／両面、拡大／縮小率、ソート出力、ステイプル止めの有無等である。
【０１７６】
そして、ステップＳ６００２では、操作部１８０上でコピー開始指示を与えると、制御装置１１０のメインコントローラ１１１はコネクタを介してリーダ部２００を制御し、原稿の画像データの読み込み動作を行う。
【０１７７】
まず、原稿給紙ユニット２５０は、載置された原稿を１枚ずつプラテンガラス２１１上へ給送し、その際同時に原稿のサイズを検知すると、該検知された原稿のサイズに基づいて原稿を露光走査することにより、画像データを読み取るわけである。
【０１７８】
そして、読み取られた画像データはＧｒａｐｈｉｃ  Ｐｒｏｃｅｓｓｏｒ１５１で指定された画像形式で圧縮をしてＤＲＡＭ１２２上に記憶される。
【０１７９】
なお、従来のコピー機では、前記コピー設定の拡大／縮小率の設定に応じて、すなわち副走査方向の変倍率に応じて光学ユニット２１３の移動速度を変化させることにより副走査方向の変倍処理を実現していた。
【０１８０】
しかしながら、本実施形態では、前記コピー設定の拡大／縮小率の設定にかかわらず、必ず等倍（１００％）で画像データを読み取り、変倍処理については、主走査方向、副走査方向ともに、後述するＧｒａｐｈｉｃ  Ｐｒｏｃｅｓｓｏｒ１５１によって行うものとする。
【０１８１】
そして、ステップＳ６００３では、メインコントローラ１１１がＤＲＡＭ１２２上の画像データを、Ｇｒａｐｈｉｃ  Ｐｒｏｃｅｓｓｏｒ１５１に転送する。次に、ステップＳ６００４では、Ｇｒａｐｈｉｃ  Ｐｒｏｃｅｓｓｏｒ１５１が、前記コピー設定パラメータに基づいて画像処理を行う。
【０１８２】
例えば、拡大４００％の設定がなされているときには、Ｇｒａｐｈｉｃ  Ｐｒｏｃｅｓｓｏｒ１５１内のモジュールである画像変倍部を用いて主走査方向、副走査方向、双方への変倍処理を行う。画像データの画像処理が完了すると、ステップＳ６００５へ進む。
【０１８３】
そして、ステップＳ６００５では、Ｇｒａｐｈｉｃ  Ｐｒｏｃｅｓｓｏｒ１５１がメインコントローラ１１１へ画像処理後の画像データを指定された画像形式で圧縮を行って転送する。メインコントローラ１１１は転送されてきた画像データをＤＲＡＭ１２２上に記憶する。
【０１８４】
そして、ステップＳ６００６では、メインコントローラ１１１はＤＲＡＭ１２２上に記憶された画像データを指定されたファイル形式でファイル化し、ファイル化された画像データをＨＤコントローラ１３１を経由してＨＤドライブ１３２に転送することで読み込んだ画像データをＨＤドライブ１３２に格納する。なお、これらの動作はＤＦユニット２５０に原稿が存在する限り繰り返し行われる。
【０１８５】
そして、ステップＳ６００７では、画像データをプリンタ部３００へと転送する。この時、プリントを行う画像データファイルがＤＲＡＭ１２２上に存在しない場合はＨＤドライブ１３２から画像ファイルを読み込み、ＤＲＡＭ１２２に格納する。メインコントローラ１１１はＧｒａｐｈｉｃ  Ｐｒｏｃｅｓｓｏｒ１５１，プリンタ画像処理部１５３およびコネクタ１５５を介して、プリンタ部３００を制御しつつ、適切なタイミングでＤＲＡＭ１２２上の画像データを、プリンタ部３００へと転送する。
【０１８６】
次に、ステップＳ６００８では、制御装置１１０が、プリンタ部３００を制御して画像データをプリント出力する。全ての画像データの転送が完了すると、すなわち当該コピージョブが終了すると、プリント出力を終了する。
【０１８７】
＜スキャン時及びスキャン送信時のシーケンス＞
図１４は、本発明に係る画像処理装置における第３のデータ処理手順の一例を示すフローチャートであり、スキャン時及びスキャン送信手順を示すフローチャートである。なお、Ｓ７００１〜Ｓ７０１７は各ステップを示す。また、本実施形態では以下多値画像データをスキャン及び送信する例として説明する。
【０１８８】
スキャン、及びスキャン送信を行う場合、まず、ステップＳ７００１では、操作部１８０上でユーザが当該スキャンジョブの設定を行う。スキャン設定内容は、カラー／白黒読み込み、片面／両面等の他に、高画質モードでのスキャン設定に関わる読み込み解像度、圧縮率等である。
【０１８９】
次に、ステップＳ７００２では、操作部１８０上でスキャン開始指示を与えると、制御装置１１０のメインコントローラ１１１はコネクタを介してリーダ部２００を制御し、原稿の画像データの読み込み動作を行う。まず、原稿給紙ユニット２５０は、載置された原稿を１枚ずつプラテンガラス２１１上へ給送し、その際同時に原稿のサイズを検知する。検知された原稿のサイズに基づいて原稿を露光走査することにより、画像データを読み取るわけである。読み取られた画像データはＤＲＡＭ１２２上に記憶される。
【０１９０】
そして、ステップＳ７００３では、メインコントローラ１１１がＤＲＡＭ１２２上の画像データをＧｒａｐｈｉｃ  Ｐｒｏｃｅｓｓｏｒ１５１に転送する。次に、ステップＳ７００４では、Ｇｒａｐｈｉｃ  Ｐｒｏｃｅｓｓｏｒ１５１が、前記スキャン設定パラメータに基づいて画像回転・解像度変換・色空間変換の画像処理を行う。次に、ステップＳ７００５では、Ｇｒａｐｈｉｃ  Ｐｒｏｃｅｓｓｏｒ１５１がメインコントローラ１１１へ画像処理後の画像データを転送し、メインコントローラ１１１は転送されてきた画像データをＤＲＡＭ１２２上に記憶する。
【０１９１】
そして、ステップＳ７００６では、メインコントローラ１１１はＤＲＡＭ１２２上に記憶された画像データを指定されたファイル形式でファイル化し、ファイル化された画像データをＨＤコントローラ１３１を経由してＨＤドライブ１３２に転送することで読み込んだ画像データをＨＤドライブ１３２に格納する。なお、これらの動作はＤＦユニット２５０に原稿が存在する限り繰り返し行われる。
【０１９２】
そして、ステップＳ７００７では、ＨＤドライブ１３２、もしくはサーバに格納した画像データをネットワークを介して送信するかを操作部１８０上に表示してユーザに促す。送信する場合には、ステップＳ７００８に進み、送信しない場合には処理を終了する。
【０１９３】
そして、ステップＳ７００８では、操作部１８０上でユーザが当該スキャンした画像データの送信ジョブの設定を行う。送信設定内容は、送信する際の宛先となる送信アドレス等である。送信設定終了後、操作部１８０上でスタートキー３００２を押すことで送信動作を開始させる。
【０１９４】
次に、ステップＳ７００９では、送信動作が開始されるとＨＤドライブ１３２に格納されているファイル化された画像データをＤＲＡＭ１２２上に格納する。
【０１９５】
そして、ステップＳ７０１０では、ステップＳ７００８において操作部１８０上でスタートキー３００２を押すことで送信動作が開始されると、画像入出力システム１００内の暗復号方式選択情報生成部１７６に対して暗復号方式選択情報生成要求を行う。
【０１９６】
暗復号方式選択情報生成部１７６は暗復号方式選択情報生成要求を受けると、暗号化アルゴリズム及び復号化アルゴリズムを選択する為の暗号化方式選択情報、及び復号化方式選択情報をそれぞれ作成する。そして、作成した復号化方式選択情報はネットワーク４００を介して画像処理装置５００へ送信され、画像処理装置５００内の記憶メモリ（図示しない）へ格納される。また暗号化方式選択情報はＤＲＡＭ１２２へ格納される。
【０１９７】
次に、ステップＳ７０１１では、ＣＰＵ５０４、ＣＰＵ１１２がそれぞれ画像処理装置５００内の記憶メモリ（図示しない）、ＤＲＡＭ１２２へ格納された復号化方式選択情報、暗号化方式選択信号を読み取り、解読してＲＯＭ５０３、ＲＯＭ１２０へ予め格納されている回路情報の内、どの回路情報を復号化処理部５０２、暗号化処理部１７４へロードするかの指示を行う。
【０１９８】
次に、ステップＳ７０１２では、ＣＰＵ５０４、ＣＰＵ１１２の指示よりロードされた回路情報に、復号化処理部５０２、暗号化処理部１７４の回路を書き換える。そして、ステップＳ７０１３では、ステップＳ７００８で設定したスキャン設定パラメータに従って、メインコントローラ１１１内のＣＰＵ１１２においてスキャンジョブを作成し、ＤＲＡＭ１２２上に格納されているファイル化された画像データとともに後段の暗号化処理部５０２へ出力する。
【０１９９】
次に、ステップＳ７０１４では、入力されるファイル化された画像データを、回路構成を書き換えられた暗号化処理部５０２により暗号化を行う。
【０２００】
そして、ステップＳ７０１５では、暗号化された画像データをコネクタ１２６、ＮｅｔｗｏｒｋＣｏｎｔｒｏｌｌｅｒ１２５、及びネットワーク４００を介して画像処理装置５００へ送信する。次に、ステップＳ７０１６では、ネットワーク４００を介して転送された暗号化されたＰＤＬデータを、回路構成を書き換えられた復号化処理部１７４により復号化を行う。
【０２０１】
そして、ステップＳ７０１６では、復号化されたファイル形式の画像情報をホストコンピュータ４０１へ送信する。画像データの送信が完了すると、すなわち当該送信が終了すると、スキャン送信を終了する。
【０２０２】
上記実施形態によれば、ホストコンピュータから画像情報をネットワークを介してプリントする際、又はスキャナより読み取った画像情報をネットワークを介してセンドする際に、瞬時に暗号化アルゴリズムを変更可能な暗号化手段により、画像情報を送信する度に毎回異なる暗号化アルゴリズムにより暗号化を行うので、盗視者に解読されにくいセキュリティが非常に強固な画像処理システムを提供することができる。
【０２０３】
又、暗号化手段の回路構成そのものを瞬時に書き換えることができるので、ソフトでは時間のかかる複雑な暗号化アルゴリズムを繰り返しハードウェア化することが可能である。
【０２０４】
〔第２実施形態〕
以下、図１５に示すメモリマップを参照して本発明に係る画像処理装置で読み取り可能なデータ処理プログラムの構成について説明する。
【０２０５】
図１５は、本発明に係る画像処理装置で読み取り可能な各種データ処理プログラムを格納する記憶媒体のメモリマップを説明する図である。
【０２０６】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０２０７】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０２０８】
本実施形態における図１２〜図１４に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０２０９】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０２１０】
この場合、記憶媒体から読み出されたプログラムコード自体が本発明の新規な機能を実現することになり、そのプログラムコードを記憶した記憶媒体は本発明を構成することになる。
【０２１１】
従って、プログラムの機能を有していれば、オブジェクトコード、インタプリタにより実行されるプログラム、ＯＳに供給するスクリプトデータ等、プログラムの形態を問わない。
【０２１２】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０２１３】
この場合、記憶媒体から読出されたプログラムコード自体が前述した実施形態の機能を実現することになり、そのプログラムコードを記憶した記憶媒体は本発明を構成することになる。
【０２１４】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０２１５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０２１６】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０２１７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０２１８】
本発明は上記実施形態に限定されるものではなく、本発明の趣旨に基づき種々の変形（各実施形態の有機的な組合せを含む）が可能であり、それらを本発明の範囲から排除するものではない。
【０２１９】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜１８について説明する。
【０２２０】
〔実施態様１〕
ホストコンピュータから出力される所定の言語で記述された画像情報を処理する他の画像処理装置とネットワークを介して通信可能な画像処理装置であって、前記画像情報を暗号化するための回路情報を複数記憶する記憶手段（図９に示すＲＯＭ５０３）と、前記画像情報の印刷要求毎に、前記他の画像処理装置から前記ネットワークを介して取得する異なる暗号化方式選択情報に基づいて、前記記憶手段からいずれかの回路情報を選択する選択手段（図８に示すＣＰＵ５０４が暗復号方式選択情報生成部１７６から転送される復号化鍵に基づき、ＲＯＭ５０３から回路情報を選択する）と、前記選択手段により選択される回路情報に基づいて決定される暗号化アルゴリズムで前記画像情報を暗号化処理する暗号化処理手段（図８に示す暗号化処理部１７４）と、前記暗号化処理手段により暗号化された画像データを前記ネットワークを介して前記他の画像処理装置に転送する転送手段（図８に示すＣＰＵ５０４が実行する図１２に示すステップＳ５００８による転送処理）とを有することを特徴とする画像処理装置。
【０２２１】
これにより、画像情報の印刷要求毎に、暗号化アルゴリズムを瞬時に変更しながら短時間に暗号化された画像データを生成でき、盗視者が画像データを取得できても、暗号化アルゴリズムがその都度変更されているので、解読が困難な画像データを出力先の画像処理装置に転送できるセキュリティ面に優れた画像データ転送処理システムを自在に構築できる。
【０２２２】
〔実施態様２〕
前記暗号化処理手段は、前記選択手段により選択される回路情報に基づいて決定される暗号化アルゴリズムで前記画像情報を暗号化処理するデバイスで構成することを特徴とする実施態様１記載の画像処理装置。
【０２２３】
これにより、印刷要求毎に暗号化アルゴリズムを変更し、かつ、短時間に暗号化処理を完了できる。
【０２２４】
〔実施態様３〕
ホストコンピュータから出力される所定の言語で記述された画像情報を処理する他の画像処理装置とネットワークを介して通信可能な画像処理装置であって、前記他の画像処理装置から暗号化されて転送される画像データを復号化するための回路情報を複数記憶する記憶手段（図８に示すＲＯＭ１２０）と、前記画像情報の印刷要求毎に、異なる暗号化方式選択情報と復号化方式選択情報とを生成する選択情報生成手段（図８に示す暗復号方式選択情報生成部１７６）と、前記画像情報の印刷要求毎に、前記選択情報生成手段により生成される前記異なる暗号化方式選択情報を前記ネットワークを介して前記他の画像処理装置に転送する転送手段（図８に示すＣＰＵ１１２が実行する、図１２に示すステップＳ５００３）と、前記画像情報の印刷要求毎に、前記選択情報生成手段により生成される異なる復号化方式選択情報に基づいて、前記記憶手段からいずれかの回路情報を選択する選択手段（図８に示すＣＰＵ１１２が実行する、図１２に示すステップＳ５００４）と、前記選択手段により選択される回路情報に基づいて決定される復号化アルゴリズムで前記画像情報を復号化処理する復号化処理手段（図８に示す復号化処理部１７４が実行する、図１２に示すステップＳ５００９）と、前記復号化処理手段により復号化される画像データを翻訳してラスタ画像データに変換する画像翻訳手段（図８に示すメインコントローラ１１１が実行する、図１２に示すステップＳ５０１０）と、前記画像翻訳手段により翻訳される前記ラスタ画像データを印刷処理する印刷手段（図８に示すメインコントローラ１１１が実行する、図１２に示すステップＳ５０１１〜Ｓ５０１５）とを有することを特徴とする画像処理装置。
【０２２５】
これにより、画像情報の印刷要求毎に、復号化アルゴリズムを瞬時に変更しながら短時間に復号化された画像データを生成でき、盗視者が画像データを取得できても、復号化アルゴリズムがその都度変更されているので、解読が困難な画像データを出力先の画像処理装置に転送できるセキュリティ面に優れた画像データ転送処理システムを自在に構築できる。
【０２２６】
〔実施態様４〕
前記復号化処理手段は、前記選択手段により選択される回路情報に基づいて決定される復号化アルゴリズムで前記画像情報を復号化処理するデバイスで構成することを特徴とする実施態様２記載の画像処理装置。
【０２２７】
これにより、印刷要求毎に復号化アルゴリズムを変更し、かつ、短時間に復号化処理を完了できる。
【０２２８】
〔実施態様５〕
他の画像処理装置より暗号化されている画像データをネットワークを介して取得してホストコンピュータに転送可能な画像処理装置であって、前記画像データを復号化するための回路情報を複数記憶する記憶手段（図９に示すＲＯＭ５０３）と、前記画像データの取得要求毎に、前記他の画像処理装置から前記ネットワークを介して取得する異なる復号化方式選択鍵情報に基づいて、前記記憶手段からいずれかの回路情報を選択する選択手段（図９に示すＣＰＵ１１２が実行する図１４に示すステップＳ７０１１により選択処理する）と、前記選択手段により選択される回路情報に基づいて決定される復号化アルゴリズムで前記画像情報を復号化処理する復号化処理手段（図９に示す復号化処理部５０５がＲＯＭ５０３から選択される回路情報に基づいて決定される復号化アルゴリズムで復号化処理（図１４に示すステップＳ７０１６）する）と、前記復号化処理手段により復号化された画像データを前記ホストコンピュータに送信する送信手段（図９に示すデータ処理部５０１が実行する送信処理（図１４に示すステップＳ７０１７）する）とを有することを特徴とする画像処理装置。
【０２２９】
これにより、他の画像処理装置により読み取られた後、暗号化されている画像データを取得して復号化する場合に、その取得毎に、他の画像処理装置から暗号化されている画像データを復号化するための復号化方法がその都度変更されているので、解読が困難な画像データを出力先の画像処理装置に転送できるセキュリティ面に優れた画像データ転送処理システムを自在に構築できる。
【０２３０】
〔実施態様６〕
前記復号化処理手段は、前記選択手段により選択される回路情報に基づいて決定される復号化アルゴリズムで前記画像情報を復号化処理するデバイスで構成することを特徴とする実施態様５記載の画像処理装置。
【０２３１】
これにより、印刷要求毎に復号化アルゴリズムを変更し、かつ、短時間に暗号化処理を完了できる。
【０２３２】
〔実施態様７〕
原稿画像を読み取る読み取り手段を備え、読み取られる画像データを他の画像処理装置にネットワークを介して送信可能な画像処理装置であって、前記他の画像処理装置に送信すべき画像データを暗号化するための回路情報を複数記憶する記憶手段（図９に示すＲＯＭ１２０）と、前記画像データの送信要求毎に、異なる暗号化方式選択情報と復号化方式選択情報とを生成する選択情報生成手段（図９に示す暗復号方式選択情報生成部１７６による、図１４に示すステップＳ７０１０）と、前記画像データの送信要求毎に、前記鍵生成手段により生成される前記異なる復号化方式選択情報を前記ネットワークを介して前記他の画像処理装置に転送する転送手段（図９に示す暗復号方式選択情報生成部１７６による、図１４に示すステップＳ７０１０）と、前記画像データの送信要求毎に、前記選択情報生成手段により生成される異なる暗号化方式選択情報に基づいて、前記記憶手段からいずれかの回路情報を選択する選択手段（図９に示すＣＰＵ５０４による、図１４に示すステップＳ７０１１）と、前記選択手段により選択される回路情報に基づいて決定される暗号化アルゴリズムで前記画像情報を暗号化処理して送信すべき画像データを生成する暗号化処理手段（図８に示す暗号化処理部５０２による、図１４に示すステップＳ７０１４）と、前記暗号化処理手段により生成される暗号化される画像データを前記他の画像処理装置に送信する送信手段（図９に示すＣＰＵ１１２による、図１４に示すステップＳ７０１５）とを有することを特徴とする画像処理装置。
【０２３３】
これにより、他の画像処理装置により読み取られた後、その画像データの送信要求毎に、読み取られる画像データを暗号化するための暗号化がその都度変更されているので、解読が困難な画像データを出力先の画像処理装置に転送できるセキュリティ面に優れた画像データ転送処理システムを自在に構築できる。
【０２３４】
〔実施態様８〕
前記暗号化処理手段は、前記選択手段により選択される回路情報に基づいて決定される暗号化アルゴリズムで前記画像情報を暗号化処理するデバイスで構成することを特徴とする実施態様７記載の画像処理装置。
【０２３５】
これにより、印刷要求毎に暗号化アルゴリズムを変更し、かつ、短時間に暗号化処理を完了できる。
【０２３６】
〔実施態様９〕
ホストコンピュータから出力される所定の言語で記述された画像情報を処理する他の画像処理装置とネットワークを介して通信可能な画像処理装置における画像処理方法であって、前記画像情報の印刷要求毎に、前記他の画像処理装置から前記ネットワークを介して取得する異なる暗号化方式選択情報に基づいて、前記画像情報を暗号化するための回路情報を複数記憶する記憶手段（図９に示すＲＯＭ５０３）からいずれかの回路情報を選択する選択ステップ（図９に示すＣＰＵ５０４が暗復号方式選択情報生成部１７６から転送される復号化鍵に基づき、ＲＯＭ５０３から回路情報を選択する図１２に示すステップＳ５００４）と、前記選択ステップにより選択される回路情報に基づいて決定される暗号化アルゴリズムで前記画像情報を暗号化処理する暗号化処理ステップ（図８に示す暗号化処理部５０２による図１２に示すステップＳ５００７））と、前記暗号化処理ステップにより暗号化された画像データを前記ネットワークを介して前記他の画像処理装置に転送する転送ステップ（図９に示すＣＰＵ５０４が実行する図１２に示すステップＳ５００８による転送処理）とを有することを特徴とする画像処理方法。
【０２３７】
これにより、実施態様１と同等の効果が期待できる。
【０２３８】
〔実施態様１０〕
前記暗号化処理ステップは、前記選択ステップにより選択される回路情報に基づいて決定される暗号化アルゴリズムで前記画像情報を暗号化処理するデバイスで構成することを特徴とする実施態様９記載の画像処理方法。
【０２３９】
これにより、実施態様２と同等の効果が期待できる。
【０２４０】
〔実施態様１１〕
ホストコンピュータから出力される所定の言語で記述された画像情報を処理する他の画像処理装置とネットワークを介して通信可能な画像処理装置における画像処理方法であって、前記他の画像処理装置から暗号化されて転送される画像データを復号化するための回路情報を複数記憶する記憶手段（図８に示すＲＯＭ１２０）と、前記画像情報の印刷要求毎に、異なる暗号化方式選択情報と復号化方式選択情報とを生成する選択情報生成ステップ（図８に示す暗復号方式選択情報生成部１７６による図１２に示すステップＳ５００３））と、前記画像情報の印刷要求毎に、前記選択情報生成ステップにより生成される前記異なる暗号化方式選択情報を前記ネットワークを介して前記他の画像処理装置に転送する転送ステップ（図８に示すＣＰＵ１１２が実行する、図１２に示すステップＳ５００３）と、前記画像情報の印刷要求毎に、前記選択情報生成ステップにより生成される異なる復号化方式選択情報に基づいて、前記他の画像処理装置から暗号化されて転送される画像データを復号化するための回路情報を複数記憶する記憶手段からいずれかの回路情報を選択する選択ステップ（図８に示すＣＰＵ１１２が実行する、図１２に示すステップＳ５００４）と、前記選択ステップにより選択される回路情報に基づいて決定される復号化アルゴリズムで前記画像情報を復号化処理する復号化処理ステップ（図８に示す復号化処理部１７４が実行する、図１２に示すステップＳ５００９）と、前記復号化処理ステップにより復号化される画像データを翻訳してラスタ画像データに変換する画像翻訳ステップ（図８に示すメインコントローラ１１１が実行する、図１２に示すステップＳ５０１０）と、前記画像翻訳ステップにより翻訳される前記ラスタ画像データを印刷処理する印刷ステップ（図８に示すメインコントローラ１１１が実行する、図１２に示すステップＳ５０１１〜Ｓ５０１５）とを有することを特徴とする画像処理方法。
【０２４１】
これにより、実施態様３と同等の効果が期待できる。
【０２４２】
〔実施態様１２〕
前記復号化処理ステップは、前記選択ステップにより選択される回路情報に基づいて決定される復号化アルゴリズムで前記画像情報を復号化処理するデバイスで構成することを特徴とする実施態様１１記載の画像処理方法。
【０２４３】
これにより、実施態様４と同等の効果が期待できる。
【０２４４】
〔実施態様１３〕
他の画像処理装置より暗号化されている画像データをネットワークを介して取得してホストコンピュータに転送可能な画像処理装置における画像処理方法であって、前記画像データの取得要求毎に、前記他の画像処理装置から前記ネットワークを介して取得する異なる復号化方式選択情報に基づいて、前記画像データを復号化するための回路情報を複数記憶する記憶手段（図９に示すＲＯＭ５０３）からいずれかの回路情報を選択する選択ステップ（図９に示すＣＰＵ１１２が実行する図１４に示すステップＳ７０１１により選択処理する）と、前記選択ステップにより選択される回路情報に基づいて決定される復号化アルゴリズムで前記画像情報を復号化処理する復号化処理ステップ（図９に示す復号化処理部５０５がＲＯＭ５０３から選択される回路情報に基づいて書き換えられる復号化アルゴリズムで復号化処理（図１４に示すステップＳ７０１６））と、前記復号化処理ステップにより復号化された画像データを前記ホストコンピュータに送信する送信ステップ（図９に示すデータ処理部５０１が実行する送信処理（図１４に示すステップＳ７０１７））とを有することを特徴とする画像処理方法。
【０２４５】
これにより、実施態様５と同等の効果が期待できる。
【０２４６】
〔実施態様１４〕
前記復号化処理ステップは、前記選択ステップにより選択される回路情報に基づいて決定される復号化アルゴリズムで前記画像情報を復号化処理するデバイスで構成することを特徴とする実施態様１３記載の画像処理方法。
【０２４７】
これにより、実施態様６と同等の効果が期待できる。
【０２４８】
〔実施態様１５〕
原稿画像を読み取る読み取り手段を備え、読み取られる画像データを他の画像処理装置にネットワークを介して送信可能な画像処理装置における画像処理方法であって、前記画像データの送信要求毎に、異なる暗号化方式選択情報と復号化方式選択情報とを生成する選択情報生成ステップ（図９に示す暗復号方式選択情報生成部１７６による、図１４に示すステップＳ７０１０）と、前記画像データの送信要求毎に、前記選択情報生成ステップにより生成される前記異なる復号化方式選択情報を前記ネットワークを介して前記他の画像処理装置に転送する転送ステップ（図９に示す暗復号方式選択情報生成部１７６による、図１４に示すステップＳ７０１０）と、前記画像データの送信要求毎に、前記選択情報生成ステップにより生成される異なる暗号化方式選択情報に基づいて、前記他の画像処理装置に送信すべき画像データを暗号化するための回路情報を複数記憶する記憶手段からいずれかの回路情報を選択する選択ステップ（図９に示すＣＰＵ１２０による、図１４に示すステップＳ７０１１）と、前記選択ステップにより選択される回路情報に基づいて決定される暗号化アルゴリズムで前記画像情報を暗号化処理して送信すべき画像データを生成する暗号化処理ステップ（図９に示す暗号化処理部１７４による、図１４に示すステップＳ７０１４）と、前記暗号化処理ステップにより生成される暗号化される画像データを前記他の画像処理装置に送信する送信ステップ（図９に示すＣＰＵ１１２による、図１４に示すステップＳ７０１５）とを有することを特徴とする画像処理方法。
【０２４９】
これにより、実施態様７と同等の効果が期待できる。
【０２５０】
〔実施態様１６〕
前記暗号化処理ステップは、前記選択ステップにより選択される回路情報に基づいて決定される暗号化アルゴリズムで前記画像情報を暗号化処理するデバイスで構成することを特徴とする実施態様１５記載の画像処理方法。
【０２５１】
これにより、実施態様８と同等の効果が期待できる。
【０２５２】
〔実施態様１７〕
実施態様９〜１６のいずれかに記載の画像処理方法を実行させるためのプログラムを格納したことを特徴とするコンピュータが読み取り可能な記憶媒体。
【０２５３】
これにより、実施態様９〜１６と同等の効果が期待できる。
【０２５４】
〔実施態様１８〕
実施態様９〜１６のいずれかに記載の画像処理方法を実行させることを特徴とするプログラム。
【０２５５】
これにより、実施態様９〜１６と同等の効果が期待できる。
【図面の簡単な説明】
【０２５６】
【図１】本発明の第１実施形態を示す画像処理装置を適用可能な画像入出力システムの全体構成を説明するブロック図である。
【図２】図１に示したリーダ部及びプリンタ部の構成を説明する断面図である。
【図３】図２に示したリーダ画像処理部の詳細な構成を示すブロック図である。
【図４】図３に示した制御装置の機能を説明するブロック図である。
【図５】図４に示したスキャナ画像処理部の詳細構成を説明するブロック図である。
【図６】図５に示したＡＣＳ（オートカラーセレクト）カウント部の構成を説明するブロック図である。
【図７】図４に示したプリンタ画像処理部の構成を説明するブロック図である。
【図８】本発明に係る画像入出力システムにおける暗号化処理、復号化処理を説明するブロック図である。
【図９】本発明に係る画像入出力システムにおける暗号化処理、復号化処理を説明するブロック図である。
【図１０】図４に示したＧｒａｐｈｉｃ  Ｐｒｏｃｅｓｓｏｒの詳細な構成を示すブロック図である。
【図１１】図１０に示した画像回転部のデータ処理手順を説明する図である。
【図１２】本発明に係る画像処理装置における第１のデータ処理手順の一例を示すフローチャートである。
【図１３】本発明に係る画像処理装置における第２のデータ処理手順の一例を示すフローチャートである。
【図１４】本発明に係る画像処理装置における第３のデータ処理手順の一例を示すフローチャートである。
【図１５】本発明に係る画像処理装置で読み取り可能な各種データ処理プログラムを格納する記憶媒体のメモリマップを説明する図である。
【符号の説明】
【０２５７】
１００  画像入出力システム
１１０  コントローラ部
１８０  操作部
４０１，４０２  ホストコンピュータ（ＰＣ）
５００，６００  画像処理装置
【図１】
2006086594.tif 000004
【図２】
2006086594.tif 000005
【図３】
2006086594.tif 000006
【図４】
2006086594.tif 000007
【図５】
2006086594.tif 000008
【図６】
2006086594.tif 000009
【図７】
2006086594.tif 000010
【図８】
2006086594.tif 000011
【図９】
2006086594.tif 000012
【図１０】
2006086594.tif 000013
【図１１】
2006086594.tif 000014
【図１２】
2006086594.tif 000015
【図１３】
2006086594.tif 000016
【図１４】
2006086594.tif 000017
【図１５】
2006086594.tif 000018